(57)【特許請求の範囲】
【請求項１】
基地局装置と移動局装置とを備え、使用されない周波数帯を両側に有するシステム帯域を同時に複数用いる通信システムであって、
前記複数のシステム帯域を使用して通信する際に、
前記基地局装置は、
前記複数のシステム帯域の各々において周波数方向に並んだ自然数個のリソースブロックのうち、１つ以上のリソースブロックを前記移動局装置に割り当て、割り当てられた前記リソースブロックにデータを配置して送信し、
前記複数のシステム帯域の各々における複数のサブバンド各々における受信品質の指標を受信し，
前記移動局装置は、
前記１つ以上のリソースブロックに配置された前記データを受信し，
前記複数のシステム帯域の各々における前記複数のサブバンド各々における前記受信品質の指標をフィードバックし，
前記複数のシステム帯域の各々における前記複数のサブバンド各々を構成するリソースブロックの数は，そのサブバンドを有するシステム帯域の周波数帯域幅を示す情報に基づいて決まることを特徴とする通信システム。
【請求項２】
基地局装置と移動局装置とを備え、使用されない周波数帯を両側に有するシステム帯域を同時に複数用いる通信システムにおける基地局装置であって、
前記複数のシステム帯域を使用して通信する際に、
前記複数のシステム帯域の各々において周波数方向に並んだ自然数個のリソースブロックのうち、１つ以上のリソースブロックを前記移動局装置に割り当て、割り当てられた前記リソースブロックにデータを配置して送信し，
前記複数のシステム帯域の各々における複数のサブバンド各々における受信品質の指標を受信し，
前記複数のシステム帯域の各々における前記複数のサブバンド各々を構成するリソースブロックの数は，そのサブバンドを有するシステム帯域の周波数帯域幅を示す情報に基づいて決まることを特徴とする基地局装置。
【請求項３】
基地局装置と移動局装置とを備え、使用されない周波数帯を両側に有するシステム帯域を同時に複数用いる通信システムにおける移動局装置であって、
前記複数のシステム帯域を使用して通信する際に、
前記複数のシステム帯域の各々において周波数方向に並んだ自然数個のリソースブロックのうち、１つ以上のリソースブロックに配置されたデータを受信し，
前記複数のシステム帯域の各々における複数のサブバンド各々における受信品質の指標をフィードバックし，
前記複数のシステム帯域の各々における前記複数のサブバンド各々を構成するリソースブロックの数は，そのサブバンドを有するシステム帯域の周波数帯域幅を示す情報に基づいて決まることを特徴とする移動局装置。
【請求項４】
前記複数のシステム帯域のうち、１つのシステム帯域における物理報知チャネルを受信することを特徴とする請求項３に記載の移動局装置。
【請求項５】
基地局装置と移動局装置とを備え、使用されない周波数帯を両側に有するシステム帯域を同時に複数用いる通信システムに使用させる基地局装置における処理方法であって、
前記基地局装置は、
前記複数のシステム帯域の各々において周波数方向に並んだ自然数個のリソースブロックのうち、１つ以上のリソースブロックを前記移動局装置に割り当て、割り当てられた前記リソースブロックにデータを配置して送信し、
前記複数のシステム帯域の各々における複数のサブバンド各々における受信品質の指標を受信し，
前記複数のシステム帯域の各々における前記複数のサブバンド各々を構成するリソースブロックの数は，そのサブバンドを有するシステム帯域の周波数帯域幅を示す情報に基づいて決まることを特徴とする処理方法。
【請求項６】
基地局装置と移動局装置とを備え、使用されない周波数帯を両側に有するシステム帯域を同時に複数用いる通信システムに使用させる移動局装置における処理方法であって、
前記複数のシステム帯域を使用して通信する際に、
前記移動局装置は、
前記複数のシステム帯域の各々において周波数方向に並んだ自然数個のリソースブロックのうち、１つ以上のリソースブロックに配置されたデータを受信し，
前記複数のシステム帯域の各々における複数のサブバンド各々における受信品質の指標をフィードバックし，
前記複数のシステム帯域の各々における前記複数のサブバンド各々を構成するリソースブロックの数は，そのサブバンドを有するシステム帯域の周波数帯域幅を示す情報に基づいて決まることを特徴とする処理方法。
【請求項７】
基地局装置と移動局装置とを備える通信システムに使用される移動局装置に実装される処理装置であって、複数の処理部から構成される処理装置において、
前記通信システムで使用されない周波数帯を両側に有する通信リソースを同時に複数使用して前記基地局装置と通信する際に、
使用可能な前記通信リソースのそれぞれの周波数帯域幅を示す情報であって前記基地局装置から取得した前記情報を使用して前記各通信リソースにおいてサブバンドを構成するリソースブロックの数を前記各通信リソース毎に決定し、
前記リソースブロックの数を使用して前記各通信リソースにおいて前記サブバンドを特定し、
前記サブバンド毎の受信品質の指標を前記基地局装置にフィードバックする機能を前記移動局装置に発揮させる処理とを、それぞれ異なる前記処理部で行うことを特徴とする処理装置。
【発明の詳細な説明】
【技術分野】
【０００１】
本発明は、通信システム、基地局装置、移動局装置、処理方法及び処理装置に関する。
本願は、２００８年８月６日に、日本に出願された特願２００８−２０３３６０号に基づき優先権を主張し、その内容をここに援用する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシッププロジェクト）は、携帯電話システムの仕様の検討・作成を行うプロジェクトである。３ＧＰＰは、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域−符号分割多元接続）とＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ：ジーエスエム）を発展させたネットワークを基本としている。
【０００３】
３ＧＰＰでは、Ｗ−ＣＤＭＡ方式が第３世代セルラー移動通信方式として標準化され、順次サービスが開始されている。また、通信速度をさらに上げたＨＳＤＰＡ（Ｈｉｇｈ−Ｓｐｅｅｄ  Ｄｏｗｎｌｉｎｋ  Ｐａｃｋｅｔ  Ａｃｃｅｓｓ：エイチエスディーピーエー）も標準化され、サービスが開始されている。
３ＧＰＰでは、第３世代無線アクセス技術の進化であるＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）が検討されている。
【０００４】
ＥＵＴＲＡにおける下りリンク通信方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多元接続）方式が提案されている。ＯＦＤＭＡは、互いに直交するサブキャリアを用いてユーザの多重化を行う方式である。
また、ＯＦＤＭＡ方式において、チャネル符号化等の適応無線リンク制御（リンクアダプテーション：Ｌｉｎｋ  Ａｄａｐｔａｔｉｏｎ）に基づく適応変復調・誤り訂正方式（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ）といった技術が適用されている。
ＡＭＣＳとは、高速パケットデータ伝送を効率的に行うために、各移動局装置のチャネル品質に応じて、誤り訂正方式、誤り訂正の符号化率、データ変調多値数などの無線伝送パラメータ（ＡＭＣモードとも称する）を切り替える方式である。
各移動局装置のチャネル品質は、ＣＱＩ（Ｃｈａｎｎｅｌ  Ｑｕａｌｉｔｙ  Ｉｎｄｉｃａｔｏｒ：チャネル品質指標）を使って基地局装置へフィードバックされる。
【０００５】
図２３は、従来の無線通信システムで用いられているチャネル構成を説明する図である。このチャネル構成は、ＥＵＴＲＡなどの無線通信システムで用いられている（非特許文献１参照）。図２３に示す無線通信システムは、基地局装置１０００、移動局装置２０００ａ、２０００ｂ、２０００ｃを備えている。Ｒ０１は、基地局装置１０００の通信可能な範囲を示している。基地局装置１０００は、この範囲Ｒ０１内に存在する移動局装置と通信する。
【０００６】
ＥＵＴＲＡにおいて、基地局装置１０００から移動局装置２０００ａ〜２０００ｃへ信号を送信する下りリンクでは、物理報知チャネル（ＰＢＣＨ：Ｐｈｙｓｉｃａｌ  Ｂｒｏａｄｃａｓｔ  Ｃｈａｎｎｅｌ）、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理下りリンク共用チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、物理マルチキャストチャネル（ＰＭＣＨ：Ｐｈｙｓｉｃａｌ  Ｍｕｌｔｉｃａｓｔ  Ｃｈａｎｎｅｌ）、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、物理ハイブリッド自動再送要求指示チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）が用いられる。
【０００７】
また、ＥＵＴＲＡにおいて、移動局装置２０００ａ〜２０００ｃから基地局装置１０００へ信号を送信する上りリンクでは、物理上りリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）が用いられる。
【０００８】
図２４は、従来の無線通信システムで用いられる帯域の一例を示す図である。図２４において、横軸は周波数を示しており、縦軸はキャリア周波数を示している。図２４では、キャリア周波数がｆ１１である。周波数方向に一つの連続した帯域Ｗ１１を用いて、基地局装置と移動局装置とが通信する。このような帯域の使用方法は、ＥＵＴＲＡなどの一般的な無線通信システムで用いられている。
【０００９】
図２５は、従来の無線通信システムで用いられる帯域の他の一例を示す図である。図２５において、横軸は周波数を示している。図２５では、周波数方向に、不連続な複数の帯域Ｗ２１、Ｗ２２を用いる（非特許文献２）。図２５に示すように、周波数方向に不連続な複数の帯域を複合的に用いることを、アグリゲーションという。
【００１０】
しかしながら、従来から知られている無線通信システムでは、移動局装置を使用するユーザに対して、基地局装置がリソースブロックを適切に割り当てることができなかった。そのため、移動局装置と基地局装置が効率的な通信を行うことができないという問題があった。
【先行技術文献】
【非特許文献】
【００１１】
【非特許文献１】３ＧＰＰ  ＴＳ（Ｔｅｃｈｎｉｃａｌ  Ｓｐｅｃｉｆｉｃａｔｉｏｎ）３６．３００、Ｖ８．４．０（２００８−０３）、Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ  ２（Ｒｅｌｅａｓｅ  ８）
【非特許文献２】“Ｆｒａｍｅｗｏｒｋ  ｆｏｒ  ＬＴＥ−Ａｄｖａｎｃｅｄ  ａｉｒ−ｉｎｔｅｒｆａｃｅ  ｔｅｃｈｎｏｌｏｇｙ  ｄｅｖｅｌｏｐｍｅｎｔ”３ＧＰＰ  ＴＳＧ  ＲＡＮ  ＩＭＴ−Ａｄｖａｎｃｅｄ  Ｗｏｒｋｓｈｏｐ  ＲＥＶ−０８００２０、２００８年４月
【発明の概要】
【発明が解決しようとする課題】
【００１２】
本発明は、上記事情に鑑みてなされたものであり、その目的は、基地局装置がリソースブロックを適切に割り当てることにより、移動局装置と基地局装置が効率的な通信を行うことができる通信システム、基地局装置、移動局装置、処理方法及び処理装置を提供することにある。
【課題を解決するための手段】
【００１３】
（１）  本発明は、上記課題を解決するためになされたもので、本発明の第１の態様は、基地局装置と移動局装置とを備える通信システムにおいて、前記通信システムで使用されない周波数帯を両側に有する通信リソースを同時に複数使用して通信する際に、前記基地局装置は、前記通信リソースの各々において周波数方向に位置する自然数個のリソースブロックのうち、１つ以上のリソースブロックを前記移動局装置に割り当て、割り当てられた前記リソースブロックにデータを配置して送信し、前記移動局装置は、割り当てられた前記リソースブロックに配置された前記データを受信することを特徴とする通信システムである。
【００１４】
（２）  本発明の第２の態様は、基地局装置と移動局装置とを備える通信システムに使用させる基地局装置であって、前記基地局装置が前記移動局装置との通信において、前記通信システムで使用されない周波数帯を両側に有する通信リソースを同時に複数使用して通信する際に、前記通信リソースの各々において周波数方向に位置する自然数個のリソースブロックのうち、１つ以上のリソースブロックを前記移動局装置に割り当て、割り当てられた前記リソースブロックにデータを配置して送信することを特徴とする基地局装置である。
【００１５】
（３）  本発明の第２の態様において、同時に複数使用される前記通信リソースのうち、１つ以上の通信リソースに物理報知チャネルを配置し、他の１つ以上の通信リソースに物理報知チャネルを配置しなくても良い。
【００１６】
（４）  本発明の第３の態様は、基地局装置と移動局装置とを備える通信システムに使用させる移動局装置における処理方法であって、前記基地局装置が前記移動局装置との通信において、前記通信システムで使用されない周波数帯を両側に有する通信リソースを同時に複数使用して通信する際に、前記通信リソースの各々において周波数方向に位置する自然数個のリソースブロックのうち、１つ以上のリソースブロックに配置されたデータを受信することを特徴とする移動局装置である。
【００１７】
（５）  本発明の第３の態様において、同時に複数使用される前記通信リソースのうち、１つ以上の通信リソースは物理報知チャネルを有し、他の１つ以上の通信リソースは物理報知チャネルを有しなくても良い。
【００１８】
（６）  本発明の第４の態様は、基地局装置と移動局装置とを備える通信システムに使用させる基地局装置における処理方法であって、前記基地局装置は、前記基地局装置が前記移動局装置との通信において、前記通信システムで使用されない周波数帯を両側に有する通信リソースを同時に複数使用して通信する際に、前記通信リソースの各々において周波数方向に位置する自然数個のリソースブロックのうち、１つ以上のリソースブロックを前記移動局装置に割り当て、割り当てられた前記リソースブロックにデータを配置して送信することを特徴とする処理方法である。
【００１９】
（７）  本発明の第５の態様は、基地局装置と移動局装置とを備える通信システムに使用させる移動局装置における処理方法であって、前記基地局装置が前記移動局装置との通信において、前記通信システムで使用されない周波数帯を両側に有する通信リソースを同時に複数使用して通信する際に、前記移動局装置は、前記通信リソースの各々において周波数方向に位置する自然数個のリソースブロックのうち、１つ以上のリソースブロックに配置されたデータを受信することを特徴とする処理方法である。
【００２０】
（８）  本発明の第６の態様は、基地局装置と移動局装置とを備える通信システムに使用される移動局装置に実装される処理装置であって、複数の処理部から構成される処理装置において、前記通信システムで使用されない周波数帯を両側に有する通信リソースを同時に複数使用して前記基地局装置と通信する際に、使用可能な前記通信リソースのそれぞれの周波数帯域幅を示す情報であって前記基地局装置から取得した前記情報を使用して前記各通信リソースにおいてサブバンドを構成するリソースブロックの数を前記各通信リソース毎に決定し、前記リソースブロックの数を使用して前記各通信リソースにおいて前記サブバンドを特定し、前記サブバンド毎の受信品質の指標を前記基地局装置にフィードバックする機能を前記移動局装置に発揮させる処理とを、それぞれ異なる前記処理部で行うことを特徴とする処理装置である。
【発明の効果】
【００２１】
本発明の通信システム、基地局装置、移動局装置、処理方法及び処理装置では、基地局装置がリソースブロックを適切に割り当てることにより、移動局装置と基地局装置が効率的な通信を行うことができる。
【図面の簡単な説明】
【００２２】
【図１】本発明の実施形態による物理リソースブロックの配置方法を示す図である。
【図２】図１（ｂ）に示した物理リソースブロック（ＰＲＢ）配置を行った場合の物理リソースブロック（ＰＲＢ）内での伝搬路特性の一例を示す図である。
【図３】本発明の実施形態で用いる物理リソースブロック（ＰＲＢ）の構成の一例を示す図である。
【図４】本発明の第１の実施形態による通信システムで用いる帯域の一例を示す図である。
【図５】本発明の第１の実施形態で用いるサブフレーム構成の一例を示す図である。
【図６】本発明の第１の実施形態による通信システムで用いる下りリンクのチャネルの構成を示す図である。
【図７】本発明の第１の実施形態による通信システムで用いる上りリンクのチャネルの構成を示す図である。
【図８】本発明の第１の実施形態による無線通信システムの下りリンクで用いるフレーム構成を示す図である。
【図９】本発明の第１の実施形態による通信システムの上りリンクで用いるフレーム構成を示す図である。
【図１０】本発明の第１の実施形態による基地局装置１００の構成を示す概略ブロック図である。
【図１１】本発明の第１の実施形態による移動局装置２００の構成を示す概略ブロック図である。
【図１２】本発明の第１の実施形態による基地局装置１００（図１０）のデータ制御部１０１ａ、ＯＦＤＭ変調部１０２ａ、無線部１０３ａの構成を示す概略ブロック図である。
【図１３】本発明の第１の実施形態による移動局装置２００（図１１）の無線部２０３ａ、チャネル推定部２０５ａ、ＯＦＤＭ復調部２０６ａ、データ抽出部２０７ａの構成を示す概略ブロック図である。
【図１４】本発明の第２の実施形態による無線通信システムで用いる帯域の一例を示す図である。
【図１５】本発明の第２の実施形態による基地局装置のデータ制御部１０１ｂ、ＯＦＤＭ変調部１０２ｂ、無線部１０３ｂの構成を示す概略ブロック図である。
【図１６】本発明の第２の実施形態による移動局装置の無線部２０３ｂ、チャネル推定部２０５ｂ、ＯＦＤＭ復調部２０６ｂ、データ抽出部２０７ｂの構成を示す概略ブロック図である。
【図１７】本発明の第２の実施形態で用いるサブフレーム構成の他の一例を示す図である。
【図１８】本発明の第３の実施形態による通信システムで用いるサブバンドの一例を示す図である。
【図１９】本発明の第３の実施形態で用いるサブフレーム構成の一例を示す図である。
【図２０】本発明の第３の実施形態で用いるサブバンドの配置方法の一例を示す図である。
【図２１】本発明の第３の実施形態による無線通信システムが使用するサブバンドの配置方法の一例を示す図である。
【図２２】本発明の第３の実施形態で用いるサブバンドの配置方法の他の一例を示す図である。
【図２３】従来の無線通信システムで用いられているチャネル構成を示す図である。
【図２４】従来の無線通信システムで用いられる帯域の一例を示す図である。
【図２５】従来の無線通信システムで用いられる帯域の他の一例を示す図である。
【発明を実施するための形態】
【００２３】
本発明の無線通信システムは、基地局装置と移動局装置とを備えている。本発明の第１〜第３の実施形態を説明する前に、本発明の概略について説明する。
【００２４】
図１（ａ）及び図１（ｂ）は、本発明の実施形態による物理リソースブロックの配置方法を示す図である。ここでは、不連続な複数のシステム帯域（占有帯域）を用いる広帯域システムにおいて、ユーザの割り当て単位である物理リソースブロック（ＰＲＢ：Ｐｈｙｓｉｃａｌ  Ｒｅｓｏｕｒｃｅ  Ｂｌｏｃｋ）の配置方法の一例について説明する。図１（ａ）において、縦軸は周波数を示している。また、図１（ｂ）において、横軸は時間を示しており、縦軸は周波数を示している。
【００２５】
図１（ａ）に示すように、本発明では、基地局装置と移動局装置とが通信する際に複数のシステム帯域（ここでは、システム帯域Ｗ１とシステム帯域Ｗ２）を用いる。システム帯域Ｗ１とシステム帯域Ｗ２には、それぞれ複数のサブキャリアが含まれている。
図１（ｂ）は、マルチキャリア通信方式の一種であるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅ：直交周波数分割多重）における送信単位であるサブフレーム（サブフレーム番号が０番のサブフレーム）の構成の一例を示している。
【００２６】
１サブフレームは少なくとも一つのスロットを含む。ここでは、一例として、サブフレーム＃Ｆ０が、２つのスロット＃Ｓ０とスロット＃Ｓ１とを含んでいる。
また、スロットは少なくとも１つのＯＦＤＭシンボルを含む。ここでは、一例として、１つのスロット＃Ｓ０、＃Ｓ１が、それぞれ７つのＯＦＤＭシンボルを含んでいる。
また、１つのスロットは周波数方向に複数のブロックに分割される。所定数のサブキャリアを周波数方向の単位として、１個の物理リソースブロック（ＰＲＢ）を構成する。
１つのサブキャリアと１つのＯＦＤＭシンボルとで構成される単位を、リソースエレメントと称する。物理層でのリソースマッピング処理で各リソースエレメントに対して変調シンボルなどがマッピングされる。
【００２７】
上述したように、物理リソースブロック（ＰＲＢ）は、送信の単位であるサブフレームを周波数と時間の２次元上で格子状に分割した領域である。以下では、それぞれの物理リソースブロック（ＰＲＢ）は、周波数方向に一様な帯域幅ＷＰＲＢを持つ場合について説明する。図１（ｂ）に示すように、物理リソースブロック（ＰＲＢ）には、下りリンク参照信号Ａ０１や、物理下りチャネルＡ０２が配置されている。
【００２８】
従来技術で説明した図２５のような不連続な複数の帯域（Ｗ２１、Ｗ２２）を複合的に用いて１つの広帯域なシステムを運用する際、本発明の実施形態では、複数の帯域のそれぞれに、周波数軸上に自然数個の物理リソースブロック（ＰＲＢ）を配置する。図１（ａ）及び図１（ｂ）では、システムがシステム帯域Ｗ１とシステム帯域Ｗ２の２つの下りリンク帯域を用いる場合について示している。システム帯域Ｗ１にはＮ１個（Ｎ１は自然数）の物理リソースブロック（ＰＲＢ）を配置し、システム帯域Ｗ２にはＮ２個（Ｎ２は自然数）の物理リソースブロック（ＰＲＢ）を配置している。
【００２９】
例えば、システムに対して許可されたシステム帯域の帯域幅がＷ１であり、システム帯域の帯域幅がＷ２であり、ＷＰＲＢが固定の値に設定されているようなシステムである場合について説明する。Ｎ１を（Ｗ１／ＷＰＲＢ）以下となる自然数に設定し、Ｎ２を（Ｗ２／ＷＰＲＢ）以下となる自然数に設定する。これにより、Ｗ１の帯域の中のＮ１ＷＲＰＢの帯域に物理リソースブロック（ＰＲＢ）を配置し、Ｗ２の帯域の中のＮ２ＷＲＰＢの帯域に物理リソースブロック（ＰＲＢ）を配置するようにシステム帯域を用いる。
あるいは、ＷＰＲＢが送信機である基地局装置毎（あるいは地域毎）に設定可能なパラメータであるシステムにおいては、ＷＰＲＢを所定の自然数Ｎ１を用いてＷ１／Ｎ１、あるいは所定の自然数Ｎ２を用いてＷ２／Ｎ２と設定しても良い。なお、ここでは、Ｗ１とＷ２はガードバンドを考慮した使用帯域幅である。
【００３０】
以上、２つの例について説明したが、これに限るものではない。例えば、異なる複数のシステム帯域内のサブキャリアが１つの物理リソースブロック（ＰＲＢ）に存在しないような物理リソースブロック（ＰＲＢ）の配置にするように、複数のシステム帯域を使用する他の方法を用いても良い。
【００３１】
図２（ａ）及び図２（ｂ）は、図１（ｂ）に示した物理リソースブロック（ＰＲＢ）配置を行った場合の物理リソースブロック（ＰＲＢ）内での伝搬路特性の一例を示す図である。図２（ａ）及び図２（ｂ）において、縦軸は周波数を示している。
図２（ａ）は、システム帯域Ｗ１とシステム帯域Ｗ２を含む周波数軸上の伝搬路特性である。図２（ｂ）は、各物理リソースブロック（ＰＲＢ）における伝搬路特性である。システム帯域Ｗ１に割り当てる物理リソースブロック（ＰＲＢ）の中で最も周波数の高い物理リソースブロック（ＰＲＢ）と、システム帯域Ｗ２に割り当てる物理リソースブロック（ＰＲＢ）の中で最も周波数が低い物理リソースブロック（ＰＲＢ）との間で、伝搬路特性が不連続になる。
しかし、本発明の実施形態では、複数のシステム帯域を跨ぐような物理リソースブロック（ＰＲＢ）を生じさせないように物理リソースブロック（ＰＲＢ）を配置する。そのため、いずれの物理リソースブロック（ＰＲＢ）においても、物理リソースブロック（ＰＲＢ）の内部で伝搬路特性は連続となる。
【００３２】
図３は、本発明の実施形態で用いる物理リソースブロック（ＰＲＢ）の構成の一例を示す図である。図３において、横軸は時間を示しており、縦軸は周波数を示している。サブフレーム＃Ｆ０には、スロット＃Ｓ０とスロット＃Ｓ１とが含まれている。図３において、１つの物理リソースブロック（ＰＲＢ）の帯域は、ＷＰＲＢである。
黒塗りの領域には、下りリンク参照信号Ａ０１が配置されており、白抜きの領域には、物理チャネルＡ０２が配置されている。下りリンク参照信号Ａ０１は、基地局装置１００と移動局装置２００との間で既知の信号である。下りリンク参照信号Ａ０１は、伝搬路推定や受信品質（受信電力や受信ＳＮＲ（Ｓｉｇｎａｌ  ｔｏ  Ｎｏｉｓｅ  ｐｏｗｅｒ  Ｒａｔｉｏ：信号対雑音比）など）測定などに用いられる。
【００３３】
同期検波などを行う場合、物理チャネル内のそれぞれのリソースエレメントにおける伝搬路推定値が必要である。一般的には参照信号における伝搬路推定値を用いてリソースエレメントにおける伝搬路推定値を算出する。例えば、以下の（１ａ）〜（３ａ）のような、伝搬路特性の連続性を用いた方法を使用する。
【００３４】
（１ａ）  参照信号における伝搬路推定値を、そのまま物理チャネル内のそれぞれのリソースエレメントにおける伝搬路推定値として用いる。
（２ａ）  参照信号における伝搬路推定値を補間することにより、物理チャネル内のそれぞれのリソースエレメントにおける伝搬路推定値を算出する。
（３ａ）  参照信号における伝搬路推定値に対してＭＭＳＥ（Ｍｉｎｉｍｕｍ  Ｍｅａｎ  Ｓｑｕａｒｅ  Ｅｒｒｏｒ：最小平均二乗誤差）などのフィルタリングを行うことにより、物理チャネル内のそれぞれのリソースエレメントにおける伝搬路推定値を算出する。
【００３５】
これらの（１ａ）〜（３ａ）の方法は、伝搬路特性の連続性を用いる。そのため、物理リソースブロック（ＰＲＢ）内で伝搬路特性が不連続である場合に、急激に伝搬路推定の精度が劣化する。しかしながら、本発明の実施形態では、複数のシステム帯域を跨ぐような物理リソースブロック（ＰＲＢ）を生じさせないように物理リソースブロック（ＰＲＢ）配置をする。そのため、いずれの物理リソースブロック（ＰＲＢ）においても、物理リソースブロック（ＰＲＢ）の内部で伝搬路特性は連続となり、これらの方法（１ａ）〜（３ａ）をそのまま適用することができる。
【００３６】
また、物理リソースブロック（ＰＲＢ）の受信品質を測定することにより、適応的なスケジューリングや送信パラメータの設定を行うシステムでは、移動局装置２００で参照信号を用いて物理リソースブロック（ＰＲＢ）の受信品質を測定し、測定結果を加工して、基地局装置１００にフィードバックすることで、伝搬路特性に応じたスケジューリングや送信パラメータの設定を行う。このとき、物理リソースブロック（ＰＲＢ）の受信品質の精度は物理リソースブロック（ＰＲＢ）内の伝搬路特性の分散（ばらつき）の影響を大きく受ける。
【００３７】
すなわち、分散が大きいほど物理チャネル内のそれぞれのリソースエレメントにおける受信品質と物理リソースブロック（ＰＲＢ）の受信品質との差が大きくなる。物理リソースブロック（ＰＲＢ）内で伝搬路特性が不連続であるとすると、伝搬路特性の分散が大きくなるため、急激に受信品質測定の精度が低下する。
しかしながら、本発明の実施形態では、複数のシステム帯域を跨ぐような物理リソースブロック（ＰＲＢ）を生じさせないように物理リソースブロック（ＰＲＢ）配置をする。そのため、いずれの物理リソースブロック（ＰＲＢ）においても、物理リソースブロック（ＰＲＢ）の内部で伝搬路特性は連続となり、分散が比較的小さくなるため、受信品質測定の精度を保持することができる。
このように、本発明の実施形態で用いる物理リソースブロック（ＰＲＢ）の配置は、複数の帯域のそれぞれに、周波数軸上に自然数個の物理リソースブロック（ＰＲＢ）を設置する。これにより、伝搬路推定や受信品質測定の精度が劣化することを防ぐことができる。
【００３８】
（第１の実施形態）
次に、本発明の第１の実施形態による無線通信システムついて説明する。この無線通信システムは、基地局装置１００（図１０）と、移動局装置２００（図１１）とを備えている。
【００３９】
図４は、本発明の第１の実施形態による通信システムで用いる帯域の一例を示す図である。図４において、横軸は周波数を示している。
本実施形態では、複数のシステム帯域を用いたシステムの一例として、図４に示すように、キャリア周波数がｆ１であるシステム帯域Ｗ１とシステム帯域Ｗ２とを用いて、基地局装置１００と移動局装置２００とが通信する。基地局装置１００は、システム帯域Ｗ１とシステム帯域Ｗ２を１つのキャリアとして用いて移動局装置２００に信号を送信する。
なお、基地局装置１００側で十分に同期を取っていれば、それぞれ別のキャリアを用いて信号を移動局装置２００に送信しても良い。
【００４０】
図５（ａ）及び図５（ｂ）は、本発明の第１の実施形態で用いるサブフレーム構成の一例を示す図である。図５（ａ）において、縦軸は周波数を示している。また、図５（ｂ）において、横軸は時間を示しており、縦軸は周波数を示している。
図５（ａ）に示すように、本実施形態では、基地局装置１００と移動局装置２００が通信する際に、複数の帯域（ここでは、システム帯域Ｗ１とシステム帯域Ｗ２）を用いる。システム帯域Ｗ１とシステム帯域Ｗ２には、それぞれ複数のサブキャリアが含まれている。
図５（ｂ）に示すように、サブフレーム＃Ｆ０には、スロット＃Ｓ０とスロット＃Ｓ１が含まれている。スロット＃Ｓ０とスロット＃Ｓ１には、それぞれ７個のＯＦＤＭシンボルが含まれている。
【００４１】
システム帯域Ｗ２に対応するＮ２ＷＰＲＢの帯域には、物理リソースブロック（ＰＲＢ）の帯域ＷＰＲＢが、Ｎ２個含まれている。Ｎ２ＷＰＲＢの帯域には、下りリンク参照信号Ａ０１、物理下りリンクチャネルＡ０２が配置されている。
システム帯域Ｗ１に対応するＮ１ＷＰＲＢの帯域には、物理リソースブロック（ＰＲＢ）の帯域ＷＰＲＢが、Ｎ１個含まれている。Ｎ１ＷＰＲＢの帯域には、下りリンク参照信号Ａ０１、物理下りリンクチャネルＡ０２、物理下りリンク同期信号Ａ０３、物理報知チャネル（ＰＢＣＨ）Ａ０４が配置されている。
【００４２】
システム帯域のいずれか（ここでは、システム帯域Ｗ１）に、同期用の信号である物理下りリンク同期信号Ａ０３（同期チャネル）と、報知情報を含むチャネルである物理報知チャネルＡ０４が挿入されている。
移動局装置２００は、物理下りリンク同期信号Ａ０３を探索して同期を取るとともに、物理報知チャネルＡ０４内の情報を取得する。物理報知チャネルＡ０４内の情報には、システム帯域を示す情報（システム帯域Ｗ２を含むアグリゲーションリソースの領域に関する情報）が含まれている。移動局装置２００は、この情報を用いて、システム帯域Ｗ１とシステム帯域Ｗ２とを、基地局装置１００から受信する。
【００４３】
このとき、システム帯域Ｗ１にＮ１個の、システム帯域Ｗ２にＮ２個の物理リソースブロック（ＰＲＢ）を配置する。これにより、いずれの物理リソースブロック（ＰＲＢ）においても、物理リソースブロック（ＰＲＢ）の内部で伝搬路特性は連続となる。このため、伝搬路推定や受信品質測定の精度が劣化することを防ぐことができる。
以下では、ＥＵＴＲＡシステムに基づいて、複数のシステム帯域を用いたＥＵＴＲＡシステムに対して、本発明の実施形態を適用する場合について説明する。
始めに、本発明の第１の実施形態による通信システムで用いるチャネル構成について説明する。
【００４４】
図６は、本発明の第１の実施形態による通信システムで用いる下りリンクのチャネルの構成を示す図である。また、図７は、本発明の第１の実施形態による通信システムで用いる上りリンクのチャネルの構成を示す図である。図６に示す下りリンクのチャネルと、図７に示す上りリンクのチャネルは、それぞれ論理チャネル、トランスポートチャネル、物理チャネルから構成されている。
論理チャネルは、媒体アクセス制御（ＭＡＣ：Ｍｅｄｉｕｍ  Ａｃｃｅｓｓ  Ｃｏｎｔｒｏｌ）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルを運ぶ物理的なチャネルである。
【００４５】
下りリンクの論理チャネルには、報知制御チャネル（ＢＣＣＨ：Ｂｒｏａｄｃａｓｔ  Ｃｏｎｔｒｏｌ  Ｃｈａｎｎｅｌ）、ページング制御チャネル（ＰＣＣＨ：Ｐａｇｉｎｇ  Ｃｏｎｔｒｏｌ  Ｃｈａｎｎｅｌ）、共通制御チャネル（ＣＣＣＨ：Ｃｏｍｍｏｎ  Ｃｏｎｔｒｏｌ  Ｃｈａｎｎｅｌ）、専用制御チャネル（ＤＣＣＨ：Ｄｅｄｉｃａｔｅｄ  Ｃｏｎｔｒｏｌ  Ｃｈａｎｎｅｌ）、専用トラフィックチャネル（ＤＴＣＨ：Ｄｅｄｉｃａｔｅｄ  Ｔｒａｆｆｉｃ  Ｃｈａｎｎｅｌ）、マルチキャスト制御チャネル（ＭＣＣＨ：Ｍｕｌｔｉｃａｓｔ  Ｃｏｎｔｒｏｌ  Ｃｈａｎｎｅｌ）、マルチキャストトラフィックチャネル（ＭＴＣＨ：Ｍｕｌｔｉｃａｓｔ  Ｔｒａｆｆｉｃ  Ｃｈａｎｎｅｌ）が含まれる。
上りリンクの論理チャネルには、共通制御チャネル（ＣＣＣＨ）、専用制御チャネル（ＤＣＣＨ）、専用トラフィックチャネル（ＤＴＣＨ）が含まれる。
【００４６】
下りリンクのトランスポートチャネルには、報知チャネル（ＢＣＨ：Ｂｒｏａｄｃａｓｔ  Ｃｈａｎｎｅｌ）、ページングチャネル（ＰＣＨ：Ｐａｇｉｎｇ  Ｃｈａｎｎｅｌ）、下りリンク共用チャネル（ＤＬ−ＳＣＨ：Ｄｏｗｎｌｉｎｋ  Ｓｈａｒｅｄ  Ｃｈａｎｎｅｌ）、マルチキャストチャネル（ＭＣＨ：Ｍｕｌｔｉｃａｓｔ  Ｃｈａｎｎｅｌ）が含まれる。
上りリンクのトランスポートチャネルには、上りリンク共用チャネル（ＵＬ−ＳＣＨ：Ｕｐｌｉｎｋ  Ｓｈａｒｅｄ  Ｃｈａｎｎｅｌ）、ランダムアクセスチャネル（ＲＡＣＨ：Ｒａｎｄｏｍ  Ａｃｃｅｓｓ  Ｃｈａｎｎｅｌ）が含まれる。
【００４７】
下りリンクの物理チャネルには、物理報知チャネル（ＰＢＣＨ：Ｐｈｙｓｉｃａｌ  Ｂｒｏａｄｃａｓｔ  Ｃｈａｎｎｅｌ）、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理下りリンク共用チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、物理マルチキャストチャネル（ＰＭＣＨ：Ｐｈｙｓｉｃａｌ  Ｍｕｌｔｉｃａｓｔ  Ｃｈａｎｎｅｌ）、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、物理ハイブリッド自動再送要求指示チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）が含まれる。
上りリンクの物理チャネルには、物理上りリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）が含まれる。
これらのチャネルは、従来技術で説明した図２３のようにして基地局装置１００と移動局装置２００の間で送受信される。
【００４８】
次に、論理チャネルについて説明する。報知制御チャネル（ＢＣＣＨ）は、システム制御情報を報知するために使用される下りリンクチャネルである。ページング制御チャネル（ＰＣＣＨ）は、ページング情報を送信するために使用される下りリンクチャネルであり、ネットワークが移動局装置のセル位置を知らないときに使用される。
共通制御チャネル（ＣＣＣＨ）は、移動局装置とネットワーク間の制御情報を送信するために使用されるチャネルであり、ネットワークと無線リソース制御（ＲＲＣ：Ｒａｄｉｏ  Ｒｅｓｏｕｒｃｅ  Ｃｏｎｔｒｏｌ）接続を有していない移動局装置によって使用される。
【００４９】
専用制御チャネル（ＤＣＣＨ）は、１対１（ｐｏｉｎｔ−ｔｏ−ｐｏｉｎｔ）の双方向チャネルであり、移動局装置２００とネットワーク間で個別の制御情報を送信するために利用されるチャネルである。専用制御チャネル（ＤＣＣＨ）は、ＲＲＣ接続を有している移動局装置によって使用される。
専用トラフィックチャネル（ＤＴＣＨ）は、１対１の双方向チャネルであり、１つの移動局装置専用のチャネルであって、ユーザ情報（ユニキャストデータ）の転送のために利用される。
【００５０】
マルチキャスト制御チャネル（ＭＣＣＨ）は、ネットワークから移動局装置２００へＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ：マルチメディアブロードキャストマルチキャストサービス）制御情報を、一対多（ｐｏｉｎｔ−ｔｏ−ｍｕｌｔｉｐｏｉｎｔ）送信するために使用される下りリンクチャネルである。これは、一対多でサービスを提供するＭＢＭＳサービスに使用される。
【００５１】
ＭＢＭＳサービスの送信方法としては、単セル一対多（ＳＣＰＴＭ：Ｓｉｎｇｌｅ−Ｃｅｌｌ  Ｐｏｉｎｔ−ｔｏ−Ｍｕｌｔｉｐｏｉｎｔ）送信と、マルチメディアブロードキャストマルチキャストサービス単一周波数網（ＭＢＳＦＮ：Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）送信とがある。
ＭＢＳＦＮ送信（ＭＢＳＦＮ  Ｔｒａｎｓｍｉｓｓｉｏｎ）とは、複数セルから同時に識別可能な波形（信号）を送信する同時送信技術である。一方、ＳＣＰＴＭ送信とは、１つの基地局装置でＭＢＭＳサービスを送信する方法である。
【００５２】
マルチキャスト制御チャネル（ＭＣＣＨ）は、１つまたは複数のマルチキャストトラフィックチャネル（ＭＴＣＨ）に利用される。マルチキャストトラフィックチャネル（ＭＴＣＨ）は、ネットワークから移動局装置へトラフィックデータ（ＭＢＭＳ送信データ）を一対多（ｐｏｉｎｔ−ｔｏ−ｍｕｌｔｉｐｏｉｎｔ）送信するために使用される下りリンクチャネルである。
なお、マルチキャスト制御チャネル（ＭＣＣＨ）およびマルチキャストトラフィックチャネル（ＭＴＣＨ）は、ＭＢＭＳを受信する移動局装置だけが利用する。
【００５３】
次に、トランスポートチャネルについて説明する。報知チャネル（ＢＣＨ）は、固定かつ事前に定義された送信形式によって、セル全体に報知される。下りリンク共用チャネル（ＤＬ−ＳＣＨ）では、ＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）、動的適応無線リンク制御、間欠受信（ＤＲＸ：Ｄｉｓｃｏｎｔｉｎｕｏｕｓ  Ｒｅｃｅｐｔｉｏｎ）、ＭＢＭＳ送信がサポートされ、セル全体に報知される必要がある。
また、下りリンク共用チャネル（ＤＬ−ＳＣＨ）では、ビームフォーミングを利用可能であり、動的リソース割り当ておよび準静的リソース割り当てがサポートされる。ページングチャネル（ＰＣＨ）では、ＤＲＸがサポートされ、セル全体に報知される必要がある。
また、ページングチャネル（ＰＣＨ）は、トラフィックチャネルや他の制御チャネルに対して動的に使用される物理リソース、すなわち物理下りリンク共用チャネル（ＰＤＳＣＨ）、にマッピングされる。
【００５４】
マルチキャストチャネル（ＭＣＨ）は、セル全体に報知される必要がある。また、マルチキャストチャネル（ＭＣＨ）では、複数セルからのＭＢＭＳ送信のＭＢＳＦＮ（ＭＢＭＳ  Ｓｉｎｇｌｅ  Ｆｒｅｑｕｅｎｃｙ  Ｎｅｔｗｏｒｋ）結合（Ｃｏｍｂｉｎｉｎｇ）や、拡張サイクリックプリフィックス（ＣＰ：Ｃｙｃｌｉｃ  Ｐｒｅｆｉｘ）を使う時間フレームなど、準静的リソース割り当てがサポートされる。
上りリンク共用チャネル（ＵＬ−ＳＣＨ）では、ＨＡＲＱ、動的適応無線リンク制御がサポートされる。また、上りリンク共用チャネル（ＵＬ−ＳＣＨ）では、ビームフォーミングを利用可能である。動的リソース割り当ておよび準静的リソース割り当てがサポートされる。ランダムアクセスチャネル（ＲＡＣＨ）は、限られた制御情報が送信され、衝突リスクがある。
【００５５】
次に、物理チャネルについて説明する。物理報知チャネル（ＰＢＣＨ）は、４０ミリ秒間隔で報知チャネル（ＢＣＨ）をマッピングする。４０ミリ秒のタイミングは、ブラインド検出（ｂｌｉｎｄ  ｄｅｔｅｃｔｉｏｎ）される。すなわち、タイミング提示のために、明示的なシグナリングを行わなくても良い。また、物理報知チャネル（ＰＢＣＨ）を含むサブフレームは、そのサブフレームだけで復号できる。つまり、自己復号可能（ｓｅｌｆ−ｄｅｃｏｄａｂｌｅ）である。
【００５６】
物理下りリンク制御チャネル（ＰＤＣＣＨ）は、下りリンク共用チャネル（ＰＤＳＣＨ）のリソース割り当て、下りリンクデータに対するハイブリッド自動再送要求（ＨＡＲＱ）情報、および、物理上りリンク共用チャネル（ＰＵＳＣＨ）のリソース割り当てである上りリンク送信許可（上りリンクグラント）を移動局装置に通知するために使用されるチャネルである。
【００５７】
物理下りリンク共用チャネル（ＰＤＳＣＨ）は、下りリンクデータまたはページング情報を送信するために使用されるチャネルである。物理マルチキャストチャネル（ＰＭＣＨ）は、マルチキャストチャネル（ＭＣＨ）を送信するために利用するチャネルであり、下りリンク参照信号、上りリンク参照信号、物理下りリンク同期信号が別途配置される。
【００５８】
物理上りリンク共用チャネル（ＰＵＳＣＨ）は、主に上りリンクデータ（ＵＬ−ＳＣＨ）を送信するために使用されるチャネルである。基地局装置１００が、移動局装置２００をスケジューリングした場合には、チャネルフィードバックレポート（ＣＱＩ、ＰＭＩ、ＲＩ）や下りリンク送信に対するＨＡＲＱ肯定応答（ＡＣＫ：Ａｃｋｎｏｗｌｅｄｇｅｍｅｎｔ）／否定応答（ＮＡＣＫ：Ｎｅｇａｔｉｖｅ  Ａｃｋｎｏｗｌｅｄｇｅｍｅｎｔ）も物理上りリンク共用チャネル（ＰＵＳＣＨ）を使用して送信される。
【００５９】
物理ランダムアクセスチャネル（ＰＲＡＣＨ）は、ランダムアクセスプリアンブルを送信するために使用されるチャネルであり、ガードタイムを持つ。物理上りリンク制御チャネル（ＰＵＣＣＨ）は、チャネルフィードバックレポート（ＣＦＲ）、スケジューリング要求（ＳＲ：Ｓｃｈｅｄｕｌｉｎｇ  Ｒｅｑｕｅｓｔ）、下りリンク送信に対するＨＡＲＱ、肯定応答／否定応答などを送信するために使用されるチャネルである。
【００６０】
物理制御フォーマット指示チャネル（ＰＣＦＩＣＨ）は、物理下りリンク制御チャネル（ＰＤＣＣＨ）のために使用されるＯＦＤＭシンボル数を移動局装置に通知するために利用するチャネルであり、各サブフレームで送信される。
物理ハイブリッド自動再送要求指示チャネル（ＰＨＩＣＨ）は、上りリンク送信に対するＨＡＲＱ  ＡＣＫ／ＮＡＣＫを送信するために利用するチャネルである。
【００６１】
次に、本発明の第１の実施形態による通信システムによるチャネルマッピングについて説明する。
図６に示されるように、下りリンクでは、次のようにトランスポートチャネルと物理チャネルのマッピングが行われる。報知チャネル（ＢＣＨ）は、物理報知チャネル（ＰＢＣＨ）にマッピングされる。
マルチキャストチャネル（ＭＣＨ）は、物理マルチキャストチャネル（ＰＭＣＨ）にマッピングされる。ページングチャネル（ＰＣＨ）および下りリンク共用チャネル（ＤＬ−ＳＣＨ）は、物理下りリンク共用チャネル（ＰＤＳＣＨ）にマッピングされる。
物理下りリンク制御チャネル（ＰＤＣＣＨ）、物理ハイブリッド自動再送要求指示チャネル（ＰＨＩＣＨ）、物理制御フォーマット指示チャネル（ＰＣＦＩＣＨ）は、物理チャネル単独で使用される。
【００６２】
一方、上りリンクでは、次のようにトランスポートチャネルと物理チャネルのマッピングが行われる。上りリンク共用チャネル（ＵＬ−ＳＣＨ）は、物理上りリンク共用チャネル（ＰＵＳＣＨ）にマッピングされる。
ランダムアクセスチャネル（ＲＡＣＨ）は、物理ランダムアクセスチャネル（ＰＲＡＣＨ）にマッピングされる。物理上りリンク制御チャネル（ＰＵＣＣＨ）は、物理チャネル単独で使用される。
【００６３】
また、下りリンクにおいて、次のように論理チャネルとトランスポートチャネルのマッピングが行われる。ページング制御チャネル（ＰＣＣＨ）は、下りリンク共用チャネル（ＤＬ−ＳＣＨ）にマッピングされる。
報知制御チャネル（ＢＣＣＨ）は、報知チャネル（ＢＣＨ）と下りリンク共用チャネル（ＤＬ−ＳＣＨ）にマッピングされる。共通制御チャネル（ＣＣＣＨ）、専用制御チャネル（ＤＣＣＨ）、専用トラフィックチャネル（ＤＴＣＨ）は、下りリンク共用チャネル（ＤＬ−ＳＣＨ）にマッピングされる。
マルチキャスト制御チャネル（ＭＣＣＨ）は、下りリンク共用チャネル（ＤＬ−ＳＣＨ）とマルチキャストチャネル（ＭＣＨ）にマッピングされる。マルチキャストトラフィックチャネル（ＭＴＣＨ）は、下りリンク共用チャネル（ＤＬ−ＳＣＨ）とマルチキャストチャネル（ＭＣＨ）にマッピングされる。
【００６４】
なお、マルチキャスト制御チャネル（ＭＣＣＨ）およびマルチキャストトラフィックチャネル（ＭＴＣＨ）からマルチキャストチャネル（ＭＣＨ）へのマッピングは、ＭＢＳＦＮ送信時に行われる。一方、ＳＣＰＴＭ送信時は、このマッピングは下りリンク共用チャネル（ＤＬ−ＳＣＨ）にマッピングされる。
【００６５】
一方、上りリンクにおいて次のように論理チャネルとトランスポートチャネルのマッピングが行われる。共通制御チャネル（ＣＣＣＨ）、専用制御チャネル（ＤＣＣＨ）、専用トラフィックチャネル（ＤＴＣＨ）は、上りリンク共用チャネル（ＵＬ−ＳＣＨ）にマッピングされる。ランダムアクセスチャネル（ＲＡＣＨ）は、論理チャネルにマッピングされない。
次に、本発明の第１の実施形態による無線通信システムで用いるフレームの構成について説明する。
【００６６】
図８は、本発明の第１の実施形態による無線通信システムの下りリンクで用いるフレーム構成を示す図である。また、図９は、本発明の第１の実施形態による無線通信システムの上りリンクで用いるフレーム構成を示す図である。図８及び図９において、横軸は時間を示しており、縦軸は周波数を示している。
システムフレーム番号（ＳＦＮ：Ｓｙｓｔｅｍ  Ｆｒａｍｅ  Ｎｕｍｂｅｒ）で識別される無線フレームは１０ミリ秒（１０ｍｓ）で構成されている。また、１サブフレームは１ミリ秒（１ｍｓ）で構成されている。無線フレームには１０個のサブフレーム＃Ｆ０〜＃Ｆ９が含まれる。
【００６７】
図８に示すように、下りリンクで用いる無線フレームには、物理制御フォーマット指示チャネル（ＰＣＦＩＣＨ）Ａ１１、物理ハイブリッド自動再送要求指示チャネル（ＰＨＩＣＨ）Ａ１２、物理下りリンク制御チャネル（ＰＤＣＣＨ）Ａ１３、物理下りリンク同期信号Ａ１４、物理報知チャネル（ＰＢＣＨ）Ａ１５、物理下りリンク共用チャネル（ＰＤＳＣＨ）／物理マルチキャストチャネル（ＰＭＣＨ）Ａ１６、下りリンク参照信号Ａ１７が配置されている。
【００６８】
図９に示すように、上りリンクで用いる無線フレームには、物理ランダムアクセスチャネル（ＰＲＡＣＨ）Ａ２１、物理上りリンク制御チャネル（ＰＵＣＣＨ）Ａ２２、物理上りリンク共用チャネル（ＰＵＳＣＨ）Ａ２３、上りリンク復調用参照信号Ａ２４、上りリンク測定用参照信号Ａ２５が配置されている。
【００６９】
１サブフレーム（例えば、サブフレーム＃Ｆ０）は、２つのスロット＃Ｓ０、＃Ｓ２に分離される。通常のサイクリックプレフィックス（ｎｏｒｍａｌ  ＣＰ）が使用される場合、下りリンクのスロットは７個のＯＦＤＭシンボルで構成され（図８参照）、上りリンクのスロットは７個のＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルで構成される（図９参照）。
なお、拡張ＣＰ（ｌｏｎｇ  ＣＰ、または、ｅｘｔｅｎｄｅｄ  ＣＰとも称する）が使用される場合は、下りリンクのスロットは６個のＯＦＤＭシンボルで構成され、上りリンクのスロットは６個のＳＣ−ＦＤＭＡシンボルで構成される。
【００７０】
また、１つのスロットは周波数方向に複数のブロックに分割される。１５ｋＨｚのサブキャリア１２本を周波数方向の単位として、１個の物理リソースブロック（ＰＲＢ）を構成する。物理リソースブロック（ＰＲＢ）数は、システム帯域幅に応じて、６個から１１０個までサポートされる。
下りリンク、上りリンクのリソース割り当ては、時間方向にサブフレーム単位かつ周波数方向に物理リソースブロック（ＰＲＢ）単位で行われる。すなわち、サブフレーム内の２つのスロットは、一つのリソース割り当て信号で割り当てられる。
【００７１】
サブキャリアとＯＦＤＭシンボルまたはサブキャリアとＳＣ−ＦＤＭＡシンボルで構成される単位をリソースエレメントと称する。物理層でのリソースマッピング処理で各リソースエレメントに対して変調シンボルなどがマッピングされる。
【００７２】
下りリンクトランスポートチャネルの物理層での処理では、物理下りリンク共用チャネル（ＰＤＳＣＨ）に対する２４ビットの巡回冗長検査（ＣＲＣ：Ｃｙｃｌｉｃ  Ｒｅｄｕｎｄａｎｃｙ  Ｃｈｅｃｋ）の付与、チャネルコーディング（伝送路符号化）、物理層ＨＡＲＱ処理、チャネルインターリービング、スクランブリング、変調（ＱＰＳＫ（Ｑｕａｄｒａｔｕｒｅ  Ｐｈａｓｅ  Ｓｈｉｆｔ  Ｋｅｙｉｎｇ：４相位相偏移変調）、１６ＱＡＭ（Ｑｕａｄｒａｔｕｒｅ  Ａｍｐｌｉｔｕｄｅ  Ｍｏｄｕｌａｔｉｏｎ：直交振幅変調）、６４ＱＡＭ）、レイヤマッピング、プレコーディング、リソースマッピング、アンテナマッピングなどが行われる。
【００７３】
一方、上りリンクトランスポートチャネルの物理層での処理では、物理上りリンク共用チャネル（ＰＵＳＣＨ）に対する２４ビットの巡回冗長検査（ＣＲＣ）の付与、チャネルコーディング（伝送路符号化）、物理層ＨＡＲＱ処理、スクランブリング、変調（ＱＰＳＫ、１６ＱＡＭ、６４ＱＡＭ）、リソースマッピング、アンテナマッピングなどが行われる。
【００７４】
物理下りリンク制御チャネル（ＰＤＣＣＨ）、物理ハイブリッド自動再送要求指示チャネル（ＰＨＩＣＨ）および物理制御フォーマット指示チャネル（ＰＣＦＩＣＨ）は、最初の３ＯＦＤＭシンボル以下に配置される。
物理下りリンク制御チャネル（ＰＤＣＣＨ）では、下りリンク共用チャネル（ＤＬ−ＳＣＨ）およびページングチャネル（ＰＣＨ）に対するトランスポートフォーマット、リソース割り当て、ＨＡＲＱ情報が送信される。トランスポートフォーマットは、変調方式、符号化方式、トランスポートブロックサイズなどを規定する。
【００７５】
また、物理下りリンク制御チャネル（ＰＤＣＣＨ）では、上りリンク共用チャネル（ＵＬ−ＳＣＨ）に対するトランスポートフォーマット（変調方式、符号化方式、トランスポートブロックサイズなどを規定する）、リソース割り当て、ＨＡＲＱ情報が送信される。
また、複数の物理下りリンク制御チャネル（ＰＤＣＣＨ）がサポートされ、移動局装置２００は、物理下りリンク制御チャネル（ＰＤＣＣＨ）のセットをモニタリングする。
【００７６】
物理下りリンク制御チャネル（ＰＤＣＣＨ）で割り当てられた物理下りリンク共用チャネル（ＰＤＳＣＨ）は、物理下りリンク制御チャネル（ＰＤＣＣＨ）と同一のサブフレームにマッピングされる。
物理下りリンク制御チャネル（ＰＤＣＣＨ）で割り当てられた物理上りリンク共用チャネル（ＰＵＳＣＨ）は、予め定められた位置のサブフレームにマッピングされる。例えば、物理下りリンク制御チャネル（ＰＤＣＣＨ）の下りリンクサブフレーム番号がＮの場合、Ｎ＋４番の上りリンクサブフレームにマッピングされる。
また、物理下りリンク制御チャネル（ＰＤＣＣＨ）による上り／下りリンクのリソース割り当てにおいて、移動局装置は、１６ビットのＭＡＣ層識別情報（ＭＡＣ  ＩＤ）を用いて特定される。すなわち、この１６ビットのＭＡＣ層識別情報（ＭＡＣ  ＩＤ）が物理下りリンク制御チャネル（ＰＤＣＣＨ）に含まれる。
【００７７】
また、下りリンク状態の測定用および下りリンクデータの復調用に使用される下りリンク参照信号（下りリンクパイロットチャネル）は、各スロットの１番目、２番目、後ろから３番目のＯＦＤＭシンボルに配置される。
一方、物理上りリンク共用チャネル（ＰＵＳＣＨ）の復調用に使用される上りリンク復調用参照信号（復調用パイロット（ＤＲＳ：Ｄｅｍｏｄｕｌａｔｉｏｎ  Ｒｅｆｅｒｅｎｃｅ  Ｓｉｇｎａｌ））は、各スロットの４番目のＳＣ−ＦＤＭＡシンボルで送信される。
また、上りリンク状態の測定用に使用される上りリンク測定用参照信号（スケジューリング用パイロット（ＳＲＳ：Ｓｏｕｎｄｉｎｇ  Ｒｅｆｅｒｅｎｃｅ  Ｓｉｇｎａｌ））は、サブフレームの先頭のＳＣ−ＦＤＭＡシンボルで送信される。
上りリンク制御チャネル（ＰＵＣＣＨ）の復調用参照信号は、上りリンク制御チャネルのフォーマットごとに定義され、各スロットの３、４および５番目、または、各スロットの２番目および６番目のＳＣ−ＦＤＭＡシンボルで送信される。
【００７８】
また、物理報知チャネル（ＰＢＣＨ）、下りリンク同期信号は、システム帯域の中心６物理リソースブロック分の帯域に配置される。物理下りリンク同期信号は、１番目（サブフレーム＃Ｆ０）および５番目（サブフレーム＃Ｆ４）のサブフレームの各スロットの６番目、７番目のＯＦＤＭシンボルで送信される。
物理報知チャネル（ＰＢＣＨ）は、１番目（サブフレーム＃０）のサブフレームの１番目のスロット（スロット＃Ｓ０）の４番目、５番目のＯＦＤＭシンボルと２番目のスロット（スロット＃Ｓ１）の１番目、２番目のＯＦＤＭシンボルで送信される。
【００７９】
また、ランダムアクセスチャネル（ＲＡＣＨ）は、周波数方向に６個の物理リソースブロック分の帯域幅、時間方向に１サブフレームで構成される。移動局装置から基地局装置にさまざまな理由で要求（上りリンクリソースの要求、上りリンク同期の要求、下りリンクデータ送信再開要求、ハンドオーバー要求、接続設定要求、再接続要求、ＭＢＭＳサービス要求など）を行うために送信される。
【００８０】
上りリンク制御チャネル（ＰＵＣＣＨ）は、システム帯域の両端に配置され、物理リソースブロック単位で構成される。スロット間でシステム帯域の両端が交互に使用されるように周波数ホッピングが行われる。
【００８１】
図１０は、本発明の第１の実施形態による基地局装置１００の構成を示す概略ブロック図である。基地局装置１００は、データ制御部１０１ａ、ＯＦＤＭ変調部１０２ａ、無線部１０３ａ、スケジューリング部１０４、チャネル推定部１０５、ＤＦＴ−Ｓ−ＯＦＤＭ（ＤＦＴ−Ｓｐｒｅａｄ−ＯＦＤＭ）復調部１０６、データ抽出部１０７、上位層１０８、アンテナ部Ａ１を備えている。
無線部１０３ａ、スケジューリング部１０４、チャネル推定部１０５、ＤＦＴ−Ｓ−ＯＦＤＭ復調部１０６、データ抽出部１０７、上位層１０８、アンテナ部Ａ１は、受信部を構成する。また、データ制御部１０１ａ、ＯＦＤＭ変調部１０２ａ、無線部１０３ａ、スケジューリング部１０４、上位層１０８、アンテナ部Ａ１は、送信部を構成する。
【００８２】
無線部１０３ａ、チャネル推定部１０５、ＤＦＴ−Ｓ−ＯＦＤＭ復調部１０６、データ抽出部１０７は、上りリンクの物理層の処理を行う。データ制御部１０１ａ、ＯＦＤＭ変調部１０２ａ、無線部１０３ａは、下りリンクの物理層の処理を行う。
データ制御部１０１ａは、スケジューリング部１０４からトランスポートチャネルおよびスケジューリング情報を取得する。トランスポートチャネルと物理層で生成される信号およびチャネルを、スケジューリング部１０４から入力されるスケジューリング情報に基づいて、物理チャネルにマッピングする。以上のようにマッピングされた各データは、ＯＦＤＭ変調部１０２ａに出力される。
【００８３】
ＯＦＤＭ変調部１０２ａは、データ制御部１０１ａから入力されたデータに対して、スケジューリング部１０４から入力されるスケジューリング情報（下りリンク物理リソースブロック（ＰＲＢ）割り当て情報（例えば、周波数、時間など物理リソースブロック位置情報）や、各下りリンク物理リソースブロック（ＰＲＢ）に対応する変調方式および符号化方式（例えば、１６ＱＡＭ変調、２／３コーディングレート）などを含む）に基づいて、符号化、データ変調、入力信号の直列／並列変換、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）処理、サイクリックプレフィックス（ＣＰ）の挿入、並びに、フィルタリングなどＯＦＤＭ信号処理を行い、ＯＦＤＭ信号を生成して、無線部１０３ａに出力する。
【００８４】
無線部１０３ａは、ＯＦＤＭ変調部１０２ａから入力された変調データを無線周波数にアップコンバートして無線信号を生成し、アンテナ部Ａ１を介して、移動局装置２００（後述する図１１参照）に送信する。また、無線部１０３ａは、移動局装置２００からの上りリンクの無線信号を、アンテナ部Ａ１を介して受信し、ベースバンド信号にダウンコンバートして、受信データをチャネル推定部１０５とＤＦＴ−Ｓ−ＯＦＤＭ復調部１０６とに出力する。
【００８５】
スケジューリング部１０４は、媒体アクセス制御（ＭＡＣ：Ｍｅｄｉｕｍ  Ａｃｃｅｓｓ  Ｃｏｎｔｒｏｌ）層の処理を行う。スケジューリング部１０４は、論理チャネルとトランスポートチャネルのマッピング、下りリンクおよび上りリンクのスケジューリング（ＨＡＲＱ処理、トランスポートフォーマットの選択など）などを行う。
スケジューリング部１０４は、下りリンクのスケジューリングでは、移動局装置２００から受信した上りリンクのフィードバック情報（下りリンクのチャネルフィードバック情報（チャネル状態情報（チャネル品質、ストリームの数、プレコーディング情報など））や、下りリンクデータに対するＡＣＫ／ＮＡＣＫフィードバック情報など）、各移動局装置２００の使用可能な下りリンク物理リソースブロック（ＰＲＢ）の情報、バッファ状況、上位層１０８から入力されたスケジューリング情報などに基づいて、各データを変調するための下りリンクのトランスポートフォーマット（送信形態）（物理リソースブロック（ＰＲＢ）の割り当ておよび変調方式および符号化方式など）の選定処理およびＨＡＲＱにおける再送制御を行う。これら下りリンクのスケジューリングに使用されるスケジューリング情報は、データ制御部１０１ａに出力される。
【００８６】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能な下りリンク物理リソースブロック（ＰＲＢ）の情報、上位層１０８から入力されたスケジューリング情報などに基づいて、各データを変調するための上りリンクのトランスポートフォーマット（送信形態）（物理リソースブロック（ＰＲＢ）の割り当ておよび変調方式および符号化方式など）の選定処理を行う。
これら上りリンクのスケジューリングに使用されるスケジューリング情報は、データ制御部１０１ａに出力される。
【００８７】
また、スケジューリング部１０４は、上位層１０８から入力された下りリンクの論理チャネルをトランスポートチャネルにマッピングし、データ制御部１０１ａに出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８に出力する。
【００８８】
チャネル推定部１０５は、上りリンクデータの復調のために、上りリンク復調用参照信号（ＤＲＳ：Ｄｅｍｏｄｕｌａｔｉｏｎ  Ｒｅｆｅｒｅｎｃｅ  Ｓｉｇｎａｌ）から上りリンクのチャネル状態を推定し、その推定結果をＤＦＴ−Ｓ−ＯＦＤＭ復調部１０６に出力する。また、上りリンクのスケジューリングを行うために、上りリンク測定用参照信号（ＳＲＳ：Ｓｏｕｎｄｉｎｇ  Ｒｅｆｅｒｅｎｃｅ  Ｓｉｇｎａｌ）から上りリンクのチャネル状態を推定し、その推定結果をスケジューリング部１０４に出力する。
なお、上りリンクの通信方式は、ＤＦＴ−Ｓ−ＯＦＤＭ等のようなシングルキャリア方式を想定しているが、ＯＦＤＭ方式のようなマルチキャリア方式を用いても良い。
【００８９】
ＤＦＴ−Ｓ−ＯＦＤＭ復調部１０６は、チャネル推定部１０５から入力された上りリンクのチャネル状態推定結果に基づいて、無線部１０３ａから入力された変調データに対し、ＤＦＴ（Ｄｉｓｃｒｅｔｅ  Ｆｏｕｒｉｅｒ  Ｔｒａｎｓｆｏｒｍ：離散フーリエ変換）変換、サブキャリアマッピング、ＩＦＦＴ変換、フィルタリング等のＤＦＴ−Ｓ−ＯＦＤＭ信号処理を行って、復調処理を行い、データ抽出部１０７に出力する。
【００９０】
データ抽出部１０７は、ＤＦＴ−Ｓ−ＯＦＤＭ復調部１０６から入力されたデータに対して、正誤を確認し、確認結果（肯定信号ＡＣＫ／否定信号ＮＡＣＫ）をスケジューリング部１０４に出力する。
また、データ抽出部１０７は、ＤＦＴ−Ｓ−ＯＦＤＭ復調部１０６から入力されたデータからトランスポートチャネルと物理層の制御データとに分離して、スケジューリング部１０４に出力する。
分離された制御データには、移動局装置２００から通知された上りリンクのフィードバック情報（下りリンクのチャネルフィードバックレポート（ＣＦＲ）、下りリンクのデータに対するＡＣＫ／ＮＡＣＫフィードバック情報）などが含まれている。
【００９１】
上位層１０８は、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、無線リソース制御（ＲＲＣ：Ｒａｄｉｏ  Ｒｅｓｏｕｒｃｅ  Ｃｏｎｔｒｏｌ）層の処理を行う。
上位層１０８は、無線リソース制御部１０９を有している。また、無線リソース制御部１０９は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）を管理する。
【００９２】
図１１は、本発明の第１の実施形態による移動局装置２００の構成を示す概略ブロック図である。移動局装置２００は、データ制御部２０１、ＤＦＴ−Ｓ−ＯＦＤＭ変調部２０２、無線部２０３ａ、スケジューリング部２０４、チャネル推定部２０５ａ、ＯＦＤＭ復調部２０６ａ、データ抽出部２０７ａ、上位層２０８、アンテナ部Ａ２を備えている。
データ制御部２０１、ＤＦＴ−Ｓ−ＯＦＤＭ変調部２０２、無線部２０３ａ、スケジューリング部２０４、上位層２０８は、送信部を構成する。また、無線部２０３ａ、スケジューリング部２０４、チャネル推定部２０５ａ、ＯＦＤＭ復調部２０６ａ、データ抽出部２０７ａ、上位層２０８は、受信部を構成する。また、スケジューリング部２０４は、選択部を構成する。
【００９３】
データ制御部２０１、ＤＦＴ−Ｓ−ＯＦＤＭ変調部２０２、無線部２０３ａは、上りリンクの物理層の処理を行う。無線部２０３ａ、チャネル推定部２０５ａ、ＯＦＤＭ復調部２０６ａ、データ抽出部２０７ａは、下りリンクの物理層の処理を行う。
データ制御部２０１は、スケジューリング部２０４からトランスポートチャネルおよびスケジューリング情報を取得する。トランスポートチャネルと物理層で生成される信号およびチャネルを、スケジューリング部２０４から入力されるスケジューリング情報に基づいて、物理チャネルにマッピングする。このようにマッピングされた各データは、ＤＦＴ−Ｓ−ＯＦＤＭ変調部２０２に出力される。
【００９４】
ＤＦＴ−Ｓ−ＯＦＤＭ変調部２０２は、データ制御部２０１から入力されたデータに対し、データ変調、ＤＦＴ処理、サブキャリアマッピング、逆高速フーリエ変換（ＩＦＦＴ）処理、サイクリックプレフィックス（ＣＰ）挿入、フィルタリングなどのＤＦＴ−Ｓ−ＯＦＤＭ信号処理を行い、ＤＦＴ−Ｓ−ＯＦＤＭ信号を生成して、無線部２０３ａに出力する。
なお、上りリンクの通信方式は、ＤＦＴ−Ｓ−ＯＦＤＭ等のようなシングルキャリア方式を想定しているが、代わりにＯＦＤＭ方式のようなマルチキャリア方式を用いても良い。
【００９５】
無線部２０３ａは、ＤＦＴ−Ｓ−ＯＦＤＭ変調部２０２から入力された変調データを無線周波数にアップコンバートして無線信号を生成し、アンテナ部Ａ２を介して、基地局装置１００（図１０）に送信する。
また、無線部２０３ａは、基地局装置１００からの下りリンクのデータで変調された無線信号を、アンテナ部Ａ２を介して受信し、ベースバンド信号にダウンコンバートして、受信データを、チャネル推定部２０５ａおよびＯＦＤＭ復調部２０６ａに出力する。
【００９６】
スケジューリング部２０４は、媒体アクセス制御層の処理を行う。スケジューリング部２０４は、論理チャネルとトランスポートチャネルのマッピング、下りリンクおよび上りリンクのスケジューリング（ＨＡＲＱ処理、トランスポートフォーマットの選択など）などを行う。
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御やＨＡＲＱ再送制御を行う。
【００９７】
スケジューリング部２０４は、上りリンクのスケジューリングでは、上位層２０８から入力された上りリンクのバッファ状況、データ抽出部２０７ａから入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理を行う。
なお、上りリンクのトランスポートフォーマットについては、基地局装置１００から通知された情報を利用する。これらスケジューリング情報は、データ制御部２０１に出力される。
【００９８】
また、スケジューリング部２０４は、上位層２０８から入力された上りリンクの論理チャネルをトランスポートチャネルにマッピングし、データ制御部２０１に出力する。また、スケジューリング部２０４は、チャネル推定部２０５ａから入力された下りリンクのチャネルフィードバックレポート（ＣＦＲ（チャネル状態情報））や、データ抽出部２０７ａから入力されたＣＲＣ確認結果についても、データ制御部２０１に出力する。
また、スケジューリング部２０４は、データ抽出部２０７ａから入力された下りリンクで取得した制御データとトランスポートチャネルを、必要に応じて処理した後、下りリンクの論理チャネルにマッピングし、上位層２０８に出力する。
【００９９】
チャネル推定部２０５ａは、下りリンクデータの復調のために、下りリンク参照信号（ＲＳ）から下りリンクのチャネル状態を推定し、その推定結果をＯＦＤＭ復調部２０６ａに出力する。
また、チャネル推定部２０５ａは、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネル状態フィードバック情報（チャネル品質情報など）に変換して、スケジューリング部２０４に出力する。
【０１００】
ＯＦＤＭ復調部２０６ａは、チャネル推定部２０５ａから入力された下りリンクのチャネル状態推定結果に基づいて、無線部２０３ａから入力された変調データに対して、ＯＦＤＭ復調処理を行い、データ抽出部２０７ａに出力する。
データ抽出部２０７ａは、ＯＦＤＭ復調部２０６ａから入力されたデータに対して、巡回冗長検査（ＣＲＣ）を行い、正誤を確認し、確認結果（ＡＣＫ／ＮＡＣＫフィードバック情報）をスケジューリング部２０４に出力する。
【０１０１】
また、データ抽出部２０７ａは、ＯＦＤＭ復調部２０６ａから入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれる。このとき、物理下りリンク制御信号（ＰＤＣＣＨ）の検索空間（検索領域とも称する）をデコード処理し、自局宛の下りリンクまたは上りリンクのリソース割り当てなどを抽出する。
【０１０２】
上位層２０８は、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、無線リソース制御（ＲＲＣ：Ｒａｄｉｏ  Ｒｅｓｏｕｒｃｅ  Ｃｏｎｔｒｏｌ）層の処理を行う。上位層２０８は、無線リソース制御部２０９を有する。
無線リソース制御部２０９は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）を管理する。
【０１０３】
図１２は、本発明の第１の実施形態による基地局装置１００（図１０）のデータ制御部１０１ａ、ＯＦＤＭ変調部１０２ａ、無線部１０３ａの構成を示す概略ブロック図である。ここでは、基地局装置１００（図１０）において、下りリンクに周波数アグリゲーションを適用する場合について説明する。
データ制御部１０１ａは、物理マッピング部３０１、参照信号生成部３０２、同期信号生成部３０３を備えている。参照信号生成部３０２は、下りリンク参照信号を生成し、物理マッピング部３０１に出力する。同期信号生成部３０３は同期信号を生成し、物理マッピング部３０１に出力する。
【０１０４】
物理マッピング部３０１は、スケジューリング情報に基づいて、トランスポートチャネルを各物理リソースブロック（ＰＲＢ）にマッピングするとともに、参照信号生成部３０２において生成された参照信号と、同期信号生成部３０３において生成された同期信号を物理フレームに多重する。
このとき、スケジューリング情報にはシステム帯域幅に関連する情報が含まれる。物理マッピング部３０１は、システム帯域Ｗ１内のＮ１ＷＰＲＢの帯域に配置された物理リソースブロック（ＰＲＢ）およびシステム帯域Ｗ２内のＮ２ＷＰＲＢの帯域に配置された物理リソースブロック（ＰＲＢ）にトランスポートチャネルをマッピングし、システム帯域Ｗ１およびシステム帯域Ｗ２以外の帯域およびガードバンドにおけるサブキャリアにヌル信号を挿入する。また、物理マッピング部３０１は、システム帯域幅に関連する情報を含む物理報知チャネルをマッピングする。
【０１０５】
ＯＦＤＭ変調部１０２ａは、変調部３０４、ＩＦＦＴ部３０５、ＣＰ挿入部３０６を備えている。
変調部３０４は、物理フレームの各リソースエレメントにマッピングされた情報をＱＰＳＫ変調／１６ＱＡＭ変調／６４ＱＡＭ変調などの変調方式に基づいて変調して変調シンボルを生成し、ＩＦＦＴ部３０５に出力する。
ＩＦＦＴ部３０５は、変調部３０４において生成された変調シンボル（周波数方向と時間方向の平面上に並べられた変調シンボル）を逆高速フーリエ変換（ＩＦＦＴ）して周波数領域の信号を時間領域の信号に変換し、ＣＰ挿入部３０６に出力する。
ＣＰ挿入部３０６は、時間領域の信号にサイクリックプレフィックス（ＣＰ）を挿入し、ＯＦＤＭシンボルを生成し、無線部１０３ａのＤ／Ａ変換部３０７に出力する。
【０１０６】
無線部１０３ａは、Ｄ／Ａ変換部３０７、無線送信部３０８を備えている。
Ｄ／Ａ変換部３０７は、デジタル信号であるＣＰ挿入部３０６の出力のＯＦＤＭシンボル系列をアナログ信号に変換し、無線送信部３０８に出力する。
無線送信部３０８は、図４に示したキャリア周波数を用いてアナログ信号をアップコンバートし、アンテナ部Ａ１を介して、生成した信号を移動局装置２００（図１１）に送信する。
【０１０７】
図１３は、本発明の第１の実施形態による移動局装置２００（図１１）の無線部２０３ａ、チャネル推定部２０５ａ、ＯＦＤＭ復調部２０６ａ、データ抽出部２０７ａの構成を示す概略ブロック図である。ここでは、移動局装置２００において、下りリンクに周波数アグリゲーションを適用する場合について説明する。
無線部２０３ａは、無線受信部４０１、Ａ／Ｄ変換部４０２を備えている。
無線受信部４０１は、アンテナ部Ａ２を介して基地局装置１００（図１０）から信号を受信し、受信した信号を図４に示したキャリア周波数を用いてダウンコンバートする。また、無線受信部４０１は、セル選択、セル再選択処理によって、予め信号に挿入されている同期信号を参照して、同期を取り、スケジューリング部１０４または上位層から通知されるシステム帯域に関する情報を用いて、システム帯域Ｗ１とシステム帯域Ｗ２における接続のセットアップを行う。なお、無線受信部４０１は、デジタル信号を用いて同期を取る場合は、Ａ／Ｄ変換部４０２の出力を用いる。
【０１０８】
Ａ／Ｄ変換部４０２は、無線受信部４０１の出力のアナログ信号をデジタル信号に変換し、チャネル推定部２０５ａと、ＯＦＤＭ復調部２０６ａのＣＰ除去部４０３に出力する。
ＯＦＤＭ復調部２０６ａは、ＣＰ除去部４０３、ＦＦＴ部４０４、復調部４０５を備えている。ＣＰ除去部４０３は、Ａ／Ｄ変換部４０２から出力されたデジタル信号のうち、サイクリックプレフィックス（ＣＰ）の部分を除去する。
ＣＰ除去部４０３においてサイクリックプレフィックス（ＣＰ）を除去された時間領域の信号は、ＦＦＴ部４０４において各リソースエレメントにおける変調シンボル（周波数方向と時間方向の平面上に並べられた変調シンボル）に変換される。
【０１０９】
復調部４０５は、変換された変調シンボルに対して、伝搬路推定部２０５ａにおいて推定された伝搬路推定値を参照しながら、変調部３０４で用いた変調方式に対応する復調処理を行い、ビット系列（あるいはビットにおける尤度情報など）を取得する。
セル選択、セル再選択処理によって、物理報知チャネル内の情報を用いて、データ抽出をセットアップする場合、データ抽出部２０７ａは、物理報知チャネルを含む帯域の物理リソースブロック（ＰＲＢ）から報知情報を抽出して、システム帯域Ｗ１とシステム帯域Ｗ２におけるデータ抽出のセットアップを行う。
あるいは、報知情報を一旦スケジューリング部１０４、またはスケジューリング部１０４を介して上位層に通知し、これらの指示に基づいて、システム帯域Ｗ１とシステム帯域Ｗ２におけるデータ抽出のセットアップを行う。このとき、スケジューリング部１０４または上位層は、無線受信部４０１にシステム帯域に関する情報を通知する。
【０１１０】
セットアップがすでに行われ、データを受信する（通常の通信を行う）場合、データ抽出部２０７ａは、各物理リソースブロック（ＰＲＢ）をトランスポートチャネルにマッピングする。このとき、データ抽出部２０７ａは、システム帯域Ｗ１およびシステム帯域Ｗ２以外の帯域およびガードバンドにおけるサブキャリアにおける信号を除去し、トランスポートチャネルにシステム帯域Ｗ１内のＮ１ＷＰＲＢの帯域に配置された物理リソースブロック（ＰＲＢ）およびシステム帯域Ｗ２内のＮ２ＷＰＲＢの帯域に配置された物理リソースブロック（ＰＲＢ）をマッピングする。
【０１１１】
次に、本発明の第１の実施形態による無線通信システム（通信システムとも称する）の処理について説明する。
第１の実施形態では、複数の帯域Ｗ１、Ｗ２（図５（ａ））の各々において、同じ周波数方向に位置する自然数個の物理リソースブロック（ＰＲＢ）にデータを配置して基地局装置１００から移動局装置２００に信号を送信する。
【０１１２】
より具体的には、基地局装置１００（図１０）の無線部１０３ａ（信号送信部とも称する）は、複数のシステム帯域Ｗ１、Ｗ２（図５（ａ））の各々において、同じ周波数方向に位置する自然数個の物理リソースブロック（ＰＲＢ）にデータを配置した信号と、複数の帯域Ｗ１、Ｗ２を特定する情報を含む信号とを、移動局装置２００に送信する。なお、無線部１０３ａは、複数の帯域Ｗ１、Ｗ２を特定する情報を含む信号を、複数の帯域Ｗ１、Ｗ２のうちのいずれかのみを介して移動局装置２００に送信するようにしても良い。
【０１１３】
そして、移動局装置２００（図１１）の無線部２０３ａ（信号受信部とも称する）は、複数の帯域Ｗ１、Ｗ２のいずれかを介して、複数の帯域Ｗ１、Ｗ２を特定する情報を含む信号を、アンテナ部Ａ１を介して基地局装置１００の無線部１０３ａから受信し、その複数の帯域Ｗ１、Ｗ２を特定する情報に基づいて、複数の帯域Ｗ１、Ｗ２の各々において、同じ周波数方向に位置する自然数個の物理リソースブロック（ＰＲＢ）にデータが配置された信号を、アンテナ部Ａ２を介して基地局装置１００の無線部１０３ａから受信する。
なお、複数の帯域Ｗ１、Ｗ２を特定する情報を含む信号を、複数の帯域Ｗ１、Ｗ２のうちのいずれかにのみ挿入するようにし、無線部２０３ａが、複数の帯域Ｗ１、Ｗ２を特定する情報を含む信号を検知して受信するようにしても良い。
【０１１４】
そして、移動局装置２００のデータ抽出部２０７ａは、無線部２０３ａが受信した同じ周波数方向に位置する自然数個の物理リソースブロック（ＰＲＢ）にデータが配置された信号を、ＯＦＤＭ復調部２０６ａを介して取得し、その信号から、基地局装置１００が送信したデータを抽出する。
【０１１５】
このように、本実施形態に係る物理リソースブロック（ＰＲＢ）の配置は、複数の帯域のそれぞれに、周波数軸上に自然数個の物理リソースブロック（ＰＲＢ）を設置するようにする。また、その配置を考慮した上で、基地局装置１００におけるトランスポートチャネルから物理リソースブロック（ＰＲＢ）へのマッピング、および移動局装置２００における物理リソースブロック（ＰＲＢ）からトランスポートチャネルへのマッピングを行う。
これにより、複数のシステム帯域を跨ぐような物理リソースブロック（ＰＲＢ）を生じさせないようにＰＲＢ配置をすることができる。そのため、いずれの物理リソースブロック（ＰＲＢ）においても、物理リソースブロック（ＰＲＢ）の内部で伝搬路特性は連続となり、伝搬路推定や受信品質測定の精度が劣化することを防ぐことができる。
【０１１６】
（第２の実施形態）
次に、本発明の第２の実施形態による無線通信システムについて説明する。第２の実施形態による基地局装置と移動局装置の構成は、第１の実施形態による基地局装置１００と移動局装置２００の構成と同様であるので、それらの説明を省略する。以降では、第２の実施形態が、第１の実施形態と異なる部分についてのみ説明する。
【０１１７】
図１４は、本発明の第２の実施形態による無線通信システムで用いる帯域の一例を示す図である。図４において、横軸は周波数を示している。本実施形態では、システム帯域Ｗ’１とシステム帯域Ｗ’２の周波数を用いて、基地局装置１００から移動局装置２００に信号を送信する。システム帯域Ｗ’１のキャリア周波数はｆ’１であり、システム帯域Ｗ’２のキャリア周波数はｆ’２である。
【０１１８】
なお、基地局装置１００は、１つのシステム帯域のみを用いて移動局装置２００に信号を送信しても良い。その場合は、第１の実施形態の基地局装置１００と同様の構成を用いれば良い。本実施形態に係るサブフレーム構成は、図５（ａ）及び図５（ｂ）に示した構成と同様の構成を用いることができる。
システム帯域のいずれか（ここではシステム帯域Ｗ’１）に同期用の信号である同期信号と、物理報知情報を含むチャネルである物理報知チャネルが挿入されている。
移動局装置２００は、同期信号を探索してフレーム同期を取るとともに、物理報知チャネル内の情報を取得する。物理報知チャネル内の情報には、システム帯域を示す情報（システム帯域Ｗ’２を含むアグリゲーションリソースの領域に関する情報）が含まれている。移動局装置２００は、この情報を用いて、システム帯域Ｗ’１とシステム帯域Ｗ’２とを受信する。
【０１１９】
このとき、システム帯域Ｗ’１にＮ１個の、システム帯域Ｗ’２にＮ２個の物理リソースブロック（ＰＲＢ）を配置する。これにより、いずれの物理リソースブロック（ＰＲＢ）においても、物理リソースブロック（ＰＲＢ）の内部で伝搬路特性は連続となり、伝搬路推定や受信品質測定の精度が劣化することを防ぐことができる。
【０１２０】
図１５は、本発明の第２の実施形態による基地局装置のデータ制御部１０１ｂ、ＯＦＤＭ変調部１０２ｂ、無線部１０３ｂの構成を示す概略ブロック図である。ここでは、基地局装置において、下りリンクに周波数アグリゲーションを適用する場合について説明する。
第２の実施形態による基地局装置は、第１の実施形態による基地局装置１００のデータ制御部１０１ａ、ＯＦＤＭ変調部１０２ａ、無線部１０３ａ（図１２）の代わりに、データ制御部１０１ｂ、ＯＦＤＭ変調部１０２ｂ、無線部１０３ｂを備えている。
【０１２１】
データ制御部１０１ｂは、物理マッピング部５０１、参照信号生成部５０２、同期信号生成部５０３を備えている。
参照信号生成部５０２は、下りリンク参照信号を生成し、物理マッピング部５０１１に出力する。同期信号生成部５０３は、同期信号を生成し、物理マッピング部５０１１に出力する。物理マッピング部５０１は、スケジューリング情報に基づいて、トランスポートチャネルを各物理リソースブロック（ＰＲＢ）にマッピングするとともに、参照信号生成部５０２において生成された参照信号と、同期信号生成部５０３において生成された同期信号を物理フレームに多重する。
このとき、スケジューリング情報にはシステム帯域幅Ｗ’１、Ｗ’２に関連する情報が含まれている。物理マッピング部５０１は、システム帯域Ｗ’１内のＮ１ＷＰＲＢの帯域に配置された物理リソースブロック（ＰＲＢ）およびシステム帯域Ｗ’２内のＮ２ＷＰＲＢの帯域に配置された物理リソースブロック（ＰＲＢ）にトランスポートチャネルをマッピングする。
【０１２２】
ＯＦＤＭ変調部１０２ｂは、変調部５０４−１、５０４−２、ＩＦＦＴ部５０５−１、５０５−２、ＣＰ挿入部５０６−１、５０６−２を備えている。
変調部５０４−１、ＩＦＦＴ部５０５−１、ＣＰ挿入部５０６−１は、システム帯域Ｗ’１におけるＮ１ＷＰＲＢの帯域に配置された物理リソースブロック（ＰＲＢ）に対する処理を行う。
変調部５０４−１は、物理フレームの各リソースエレメントにマッピングされた情報をＱＰＳＫ変調、１６ＱＡＭ変調、６４ＱＡＭ変調などの変調方式に基づいて変調して変調シンボルを生成し、ＩＦＦＴ部５０５−１に出力する。
【０１２３】
ＩＦＦＴ部５０５−１は、変調部５０４−１において生成された変調シンボル（周波数方向と時間方向の平面上に並べられた変調シンボル）を、逆高速フーリエ変換（ＩＦＦＴ）して周波数領域の信号を時間領域の信号に変換し、ＣＰ挿入部５０６−１に出力する。
ＣＰ挿入部５０６−１は、時間領域の信号にサイクリックプレフィックス（ＣＰ）を挿入し、ＯＦＤＭシンボルを生成して、無線部１０３ｂのＤ／Ａ変換部５０７−１に出力する。
【０１２４】
変調部５０４−２、ＩＦＦＴ部５０５−２、ＣＰ挿入部５０６−２は、システム帯域Ｗ’２におけるＮ２ＷＰＲＢの帯域に配置された物理リソースブロック（ＰＲＢ）に対する処理を行う。
変調部５０４−２は、物理フレームの各リソースエレメントにマッピングされた情報をＱＰＳＫ変調、１６ＱＡＭ変調、６４ＱＡＭ変調などの変調方式に基づいて変調して変調シンボルを生成して、ＩＦＦＴ部５０５−２に出力する。
ＩＦＦＴ部５０５−２は、変調部５０４−２において生成された変調シンボル（周波数方向と時間方向の平面上に並べられた変調シンボル）を逆高速フーリエ変換（ＩＦＦＴ）して、周波数領域の信号を時間領域の信号に変換し、ＣＰ挿入部５０６−２に出力する。
ＣＰ挿入部５０６−２は、時間領域の信号にサイクリックプレフィックス（ＣＰ）を挿入し、ＯＦＤＭシンボルを生成して、無線部１０３ｂのＤ／Ａ変換部５０７−２に出力する。
【０１２５】
無線部１０３ｂは、Ｄ／Ａ変換部５０７−１、５０７−２、無線送信部５０８−１、５０８−２を備えている。
Ｄ／Ａ変換部５０７−１、無線送信部５０８−１は、システム帯域Ｗ’１におけるＮ１ＷＰＲＢの帯域に配置された物理リソースブロック（ＰＲＢ）に対する処理を行う。
Ｄ／Ａ変換部５０７−１は、デジタル信号であるＣＰ挿入部５０６−１の出力のＯＦＤＭシンボル系列をアナログ信号に変換し、無線送信部５０８−１に出力する。
無線送信部５０８−１は、図１４に示したキャリア周波数Ｗ’１を用いてアナログ信号をアップコンバートし、アンテナ部Ａ１を介して、生成した信号を移動局装置に送信する。
【０１２６】
Ｄ／Ａ変換部５０７−２、無線送信部５０８−２は、システム帯域Ｗ’２におけるＮ２ＷＰＲＢの帯域に配置された物理リソースブロック（ＰＲＢ）に対する処理を行う。
Ｄ／Ａ変換部５０７−２は、デジタル信号であるＣＰ挿入部５０６−２の出力のＯＦＤＭシンボル系列をアナログ信号に変換し、無線送信部５０８−２に出力する。
無線送信部５０８−２は、図１４に示したキャリア周波数Ｗ’２を用いてアナログ信号をアップコンバートし、アンテナ部Ａ１を介して、生成した信号を移動局装置に送信する。
なお、ここでは、異なる信号に対して同様の処理を行うブロックを分けて記載しているが、１つの回路を共用しても良い。
【０１２７】
図１６は、本発明の第２の実施形態による移動局装置２００の無線部２０３ｂ、チャネル推定部２０５ｂ、ＯＦＤＭ復調部２０６ｂ、データ抽出部２０７ｂの構成を示す概略ブロック図である。ここでは、移動局装置２００において、下りリンクに周波数アグリゲーションを適用する場合について説明する。
また、第２の実施形態による移動局装置２００は、第１の実施形態による移動局装置２００の無線部２０３ａ、チャネル推定部２０５ａ、ＯＦＤＭ復調部２０６ａ、データ抽出部２０７ａ（図１３）の代わりに、無線部２０３ｂ、チャネル推定部２０５ｂ、ＯＦＤＭ復調部２０６ｂ、データ抽出部２０７ｂを備えている。
【０１２８】
無線部２０３ｂは、無線受信部６０１−１、６０１−２、Ａ／Ｄ変換部６０２−１、６０２−２を備えている。
無線受信部６０１−１は、アンテナ部Ａ２を介して信号を基地局装置１００から受信し、受信した信号を図１４に示したキャリア周波数Ｗ’１を用いてダウンコンバートする。また、無線受信部６０１−１は、セル選択、セル再選択処理によって、予め信号に挿入されている同期信号を参照して、同期を取り、スケジューリング部１０４または上位層から通知されるシステム帯域に関する情報を用いて、システム帯域Ｗ’１における接続のセットアップを行う。なお、無線受信部６０１−１は、デジタル信号を用いて同期を取る場合は、下記のＡ／Ｄ変換部６０２−１の出力を用いる。
Ａ／Ｄ変換部６０２−１は、無線受信部６０１−１の出力のアナログ信号をデジタル信号に変換し、チャネル推定部２０５ｂのバンド毎チャネル推定部６０３−１と、ＯＦＤＭ復調部２０６ｂのＣＰ除去部６０４−１に出力する。
【０１２９】
無線受信部６０１−２は、スケジューリング部１０４または上位層から通知されるシステム帯域に関する情報を用いて、システム帯域Ｗ’２における接続のセットアップを行い、アンテナ部Ａ２を介して信号を基地局装置から受信し、無線受信部６０１−１において取ったフレーム同期のタイミングに基づいて、受信した信号を図１４に示したキャリア周波数Ｗ’２を用いてダウンコンバートし、Ａ／Ｄ変換部６０２−２に出力する。
Ａ／Ｄ変換部６０２−２は、無線受信部６０１−２の出力のアナログ信号をデジタル信号に変換し、チャネル推定部２０５ｂのバンド毎チャネル推定部６０３−２と、ＯＦＤＭ復調部２０６ｂのＣＰ除去部６０４−２に出力する。
【０１３０】
チャネル推定部２０５ｂは、バンド毎チャネル推定部６０３−１、６０３−２を備えている。
バンド毎チャネル推定部６０３−１は、システム帯域Ｗ’１におけるＮ１ＷＰＲＢの帯域に配置された物理リソースブロック（ＰＲＢ）における参照信号を参照して、Ｎ１ＷＰＲＢの帯域に配置された物理リソースブロック（ＰＲＢ）におけるチャネル推定を行い、その推定結果をＯＦＤＭ復調部２０６ｂの復調部６０６−１に出力する。
バンド毎チャネル推定部６０３−２は、システム帯域Ｗ’２におけるＮ２ＷＰＲＢの帯域に配置された物理リソースブロック（ＰＲＢ）における参照信号を参照して、Ｎ２ＷＰＲＢの帯域に配置された物理リソースブロック（ＰＲＢ）におけるチャネル推定を行い、その推定結果をＯＦＤＭ復調部２０６ｂの復調部６０６−２に出力する。
【０１３１】
ＯＦＤＭ復調部２０６ｂは、ＣＰ除去部６０４−１、６０４−２、ＦＦＴ部６０５−１、６０５−２、復調部６０６−１、６０６−２を備えている。
ＣＰ除去部６０４−１、ＦＦＴ部６０５−１、復調部６０６−１は、システム帯域Ｗ’１におけるＮ１ＷＰＲＢの帯域に配置された物理リソースブロック（ＰＲＢ）に対する処理を行う。
ＣＰ除去部６０４−１は、Ａ／Ｄ変換部６０２−１から出力されたデジタル信号のうち、サイクリックプレフィックス（ＣＰ）部分を除去する。
【０１３２】
ＣＰ除去部６０４−１においてサイクリックプレフィックス（ＣＰ）を除去された時間領域の信号は、ＦＦＴ部６０５−１において各リソースエレメントにおける変調シンボル（周波数方向（Ｎ１ＷＰＲＢの帯域）と時間方向の平面上に並べられた変調シンボル）に変換され、ＦＦＴ部６０５−１に出力される。
復調部６０６−１は、変換された変調シンボルに対して、伝搬路推定部６０３−１において推定された伝搬路推定値を参照しながら、変調部５０４−１で用いた変調方式に対応する復調処理を行い、ビット系列（あるいはビットにおける尤度情報など）を取得する。
【０１３３】
ＣＰ除去部６０４−２、ＦＦＴ部６０５−２、復調部６０６−２は、システム帯域Ｗ’２におけるＮ２ＷＰＲＢの帯域に配置された物理リソースブロック（ＰＲＢ）に対する処理を行う。
ＣＰ除去部６０４−２は、Ａ／Ｄ変換部６０２−２から出力されたデジタル信号のうち、サイクリックプレフィックス（ＣＰ）部分を除去し、ＦＦＴ部６０５−２に出力する。
ＣＰ除去部６０４−２においてサイクリックプレフィックス（ＣＰ）を除去された時間領域の信号は、ＦＦＴ部６０５−２において各リソースエレメントにおける変調シンボル（周波数方向（Ｎ２ＷＰＲＢの帯域）と時間方向の平面上に並べられた変調シンボル）に変換され、復調部６０６−２に出力される。
【０１３４】
復調部６０６−２は、変換された変調シンボルに対して、伝搬路推定部６０３−２において推定された伝搬路推定値を参照しながら、変調部５０４−２で用いた変調方式に対応する復調処理を行い、ビット系列（あるいはビットにおける尤度情報など）を取得する。
セル選択、セル再選択処理によって、物理報知チャネル内の情報を用いて、データ抽出をセットアップする場合、データ抽出部２０７は、物理報知チャネルを含む帯域の物理リソースブロック（ＰＲＢ）から報知情報を抽出して、システム帯域Ｗ’１とシステム帯域Ｗ’２におけるデータ抽出のセットアップを行う。
あるいは、報知情報を一旦スケジューリング部１０４、またはスケジューリング部１０４を介して上位層に通知し、これらの指示に基づいて、システム帯域Ｗ’１とシステム帯域Ｗ’２におけるデータ抽出のセットアップを行う。このとき、スケジューリング部１０４または上位層は、無線受信部６０１−１、６０１−２にシステム帯域に関する情報を通知する。
【０１３５】
セットアップがすでに行われ、データを受信する（通常の通信を行う）場合、データ抽出部２０７ｂは、スケジューリング情報に基づいて、各物理リソースブロック（ＰＲＢ）をトランスポートチャネルにマッピングする。このとき、データ抽出部２０７ｂは、トランスポートチャネルに、復調部６０６−１の出力であるシステム帯域Ｗ’１内のＮ１ＷＰＲＢの帯域に配置された物理リソースブロック（ＰＲＢ）、および復調部６０６−２の出力であるシステム帯域Ｗ’２内のＮ２ＷＰＲＢの帯域に配置された物理リソースブロック（ＰＲＢ）をマッピングする。
なお、ここでは、異なる信号に対して同様の処理を行うブロックを分けて記載しているが、１つの回路を共用しても良い。
以上の説明では、図５（ａ）及び図５（ｂ）に示したようなフレーム構成を取る場合について述べたが、図１７（ａ）及び図１７（ｂ）に示すようなフレーム構成を用いても良い。
【０１３６】
図１７（ａ）及び図１７（ｂ）は、本発明の第２の実施形態で用いるサブフレーム構成の他の一例を示す図である。図１７（ａ）において、縦軸は周波数を示している。また、図１７（ｂ）において、横軸は時間を示しており、縦軸は周波数を示している。
図１７（ａ）に示すように、本実施形態では、基地局装置１００と移動局装置２００が通信する際に、複数の帯域（ここでは、システム帯域Ｗ’１とシステム帯域Ｗ’２）を用いる。システム帯域Ｗ’１とシステム帯域Ｗ’２には、それぞれ複数のサブキャリアが含まれている。
【０１３７】
図１７（ｂ）に示すように、サブフレーム＃Ｆ’０には、スロット＃Ｓ’０とスロット＃Ｓ’１が含まれている。スロット＃Ｓ’０とスロット＃Ｓ’１には、それぞれ７個のＯＦＤＭシンボルが含まれている。
システム帯域Ｗ’２に対応するＮ２ＷＰＲＢの帯域には、物理リソースブロック（ＰＲＢ）の帯域ＷＰＲＢが、Ｎ２個含まれている。Ｎ２ＷＰＲＢの帯域には、下りリンク参照信号Ａ０１、物理下りリンクチャネルＡ０２、物理下りリンク同期信号Ａ０３が配置されている。
システム帯域Ｗ’１に対応するＮ１ＷＰＲＢの帯域には、物理リソースブロック（ＰＲＢ）の帯域ＷＰＲＢが、Ｎ１個含まれている。Ｎ１ＷＰＲＢの帯域には、下りリンク参照信号Ａ０１、物理下りリンクチャネルＡ０２、物理下りリンク同期信号Ａ０３、物理報知チャネル（ＰＢＣＨ）Ａ０４が配置されている。
【０１３８】
図１７（ａ）及び図１７（ｂ）の構成のフレームを用いる場合であっても、上述した基地局装置１００や移動局装置２００と同様の構成を用いることができる。この場合、無線受信部６０１−１と無線受信部６０１−２は、それぞれシステム帯域Ｗ’１の同期信号とシステム帯域Ｗ’２の同期信号を用いてフレーム同期する。このため、無線受信部６０１−１から無線受信部６０１−２にフレーム同期のタイミングを通知しなくても良い。
さらに、両方のシステム帯域に同期信号と物理報知チャネルが配置されている場合は、それぞれのシステム帯域において、同期／報知情報の取得／システム帯域受信のセットアップを行えば良い。ただし、この場合においても、データ抽出部２０７ｂにおける処理は上述の処理と同じである。
【０１３９】
このように、本実施形態による物理リソースブロック（ＰＲＢ）の配置は、複数の帯域のそれぞれに、周波数軸上に自然数個の物理リソースブロック（ＰＲＢ）を設置するようにする。また、その配置を考慮した上で、基地局装置１００におけるトランスポートチャネルから物理リソースブロック（ＰＲＢ）へのマッピング、および移動局装置２００における物理リソースブロック（ＰＲＢ）からトランスポートチャネルへのマッピングを行う。
これにより、複数のシステム帯域を跨ぐような物理リソースブロック（ＰＲＢ）を生じさせないように物理リソースブロック（ＰＲＢ）の配置をすることができる。そのため、いずれの物理リソースブロック（ＰＲＢ）においても、物理リソースブロック（ＰＲＢ）の内部で伝搬路特性は連続となり、伝搬路推定や受信品質測定の精度が劣化することを防ぐことができる。
【０１４０】
（第３の実施形態）
次に、本発明の第３の実施形態による通信システムについて説明する。第３の実施形態による基地局装置と移動局装置の構成は、第１の実施形態による基地局装置１００と移動局装置２００の構成と同様であるので、それらの説明を省略する。以降では、第３の実施形態が、第１の実施形態と異なる部分についてのみ説明する。
本実施形態では、受信品質の測定単位あるいは受信品質の参照単位として、周波数方向に複数のリソースブロック分の帯域をまとめたサブバンドという単位を用いる場合について説明する。
【０１４１】
図１８は、本発明の第３の実施形態による通信システムで用いるサブバンドの一例を示す図である。図１８において、横軸は時間を示しており、縦軸は周波数を示している。
図１８では、サブバンド＃Ｂ０、＃Ｂ１、＃Ｂ２、・・・は、周波数方向の３つの物理リソースブロック（ＰＲＢ）を、それぞれ含んでいる。また、サブバンド＃Ｂ０、＃Ｂ１、＃Ｂ２、・・・は、１つのスロットを、それぞれ含んでいる。
サブバンド＃Ｂ０、＃Ｂ１、＃Ｂ２、・・・を構成する各物理リソースブロック（ＰＲＢ）には、それぞれ下りリンク参照信号Ａ０１、物理下りリンクチャネルＡ０２が配置されている。
なお、ここでは、複数のサブバンドが同一の帯域である場合を示しているが、これに限定されるものではない。
【０１４２】
図１９（ａ）及び図１９（ｂ）は、本発明の第３の実施形態で用いるサブフレーム構成の一例を示す図である。図１９（ａ）において、縦軸は周波数を示している。また、図１９（ｂ）において、横軸は時間を示しており、縦軸は周波数を示している。
図１９（ａ）に示すように、本実施形態では、基地局装置１００と移動局装置２００が通信する際に、複数の帯域（ここでは、システム帯域Ｗ’’１とシステム帯域Ｗ’’２）を用いる。システム帯域Ｗ’’１とシステム帯域Ｗ’’２には、それぞれ複数のサブキャリアが含まれている。
【０１４３】
図１９（ｂ）に示すように、サブフレーム＃Ｆ’’０は、１ミリ秒（ｍｓ）の時間幅を有している。サブフレーム＃Ｆ’’０には、スロット＃Ｓ’’０とスロット＃Ｓ’’１が含まれている。スロット＃Ｓ’’０とスロット＃Ｓ’’１には、それぞれ７個のＯＦＤＭシンボルが含まれている。
システム帯域Ｗ’’２に対応するＮ２ＷＰＲＢの帯域には、物理リソースブロック（ＰＲＢ）の帯域ＷＰＲＢが、Ｎ２個含まれている。Ｎ２ＷＰＲＢの帯域には、下りリンク参照信号Ａ０１、物理下りリンクチャネルＡ０２が配置されている。
システム帯域Ｗ’’１に対応するＮ１ＷＰＲＢの帯域には、物理リソースブロック（ＰＲＢ）の帯域ＷＰＲＢが、Ｎ１個含まれている。Ｎ１ＷＰＲＢの帯域には、下りリンク参照信号Ａ０１、物理下りリンクチャネルＡ０２が配置されている。
【０１４４】
図１９（ｂ）は、マルチキャリア通信方式の一種であるＯＦＤＭにおける送信単位であるサブフレームの構成の一例を示している。周波数方向に複数のリソースブロック分の帯域をまとめたものをサブバンドと称する。以下では、それぞれの物理リソースブロック（ＰＲＢ）は周波数方向に一様な帯域幅ＷＰＲＢを持つ場合について説明する。
図２５のような不連続な複数の帯域（Ｗ２１、Ｗ２２）を複合的に用いて１つの広帯域なシステムを運用する際、物理リソースブロック（ＰＲＢ）の配置は、複数の帯域のそれぞれに、周波数軸上に自然数個の物理リソースブロック（ＰＲＢ）を配置するようにし、かつサブバンドの配置は、複数の帯域のそれぞれに、自然数個のサブバンドを設置する。
【０１４５】
図１９（ａ）及び図１９（ｂ）では、システムがシステム帯域Ｗ’’１とシステム帯域Ｗ’’２の２つの帯域を用いる場合について示している。システム帯域Ｗ’’１にはＮ１個（Ｎ１は自然数）の物理リソースブロック（ＰＲＢ）を配置し、システム帯域Ｗ’’２にはＮ２個（Ｎ２は自然数）の物理リソースブロック（ＰＲＢ）を配置するように設定する。また、システム帯域Ｗ’’１にはＭ１個（Ｍ１は自然数）のサブバンドを配置し、システム帯域Ｗ’’２にはＭ２個（Ｍ２は自然数）のサブバンドを配置するように設定する。
【０１４６】
例えば、システムに対して許可されたシステム帯域の帯域幅がＷ’’１であり、他のシステム帯域の帯域幅がＷ’’２であり、ＷＰＲＢが固定の値に設定されているようなシステムである場合、Ｎ１を（Ｗ’’１／ＷＰＲＢ）以下となる自然数に設定し、Ｎ２を（Ｗ’’２／ＷＰＲＢ）以下となる自然数に設定する。また、Ｗ’’１内の周波数方向にＮ１個並んだＰＲＢを複数個ずつまとめるようにしてＭ１個のサブバンドを構成する。さらに、Ｗ’’２内の周波数方向にＮ２個並んだ物理リソースブロック（ＰＲＢ）を複数個ずつまとめるようにしてＭ２個のサブバンドを構成する。これにより、Ｗ’’１の帯域の中のＮ１ＷＲＰＢの帯域に物理リソースブロック（ＰＲＢ）を配置し、Ｗ’’２の帯域の中のＮ２ＷＲＰＢの帯域に物理リソースブロック（ＰＲＢ）を配置し、かつＮ１ＷＲＰＢの帯域をＭ１個のサブバンドに分割し、Ｗ２の帯域をＭ２個のサブバンドに分割するようにシステム帯域を用いる。
【０１４７】
あるいは、ＷＰＲＢが基地局装置毎（あるいは地域毎）に設定可能なパラメータであるシステムにおいては、ＷＰＲＢを所定の自然数Ｎ１を用いてＷ’’１／Ｎ１、あるいは所定の自然数Ｎ２を用いてＷ’’２／Ｎ２と設定する。また、Ｗ’’１内の周波数方向にＮ１個並んだ物理リソースブロック（ＰＲＢ）を複数個ずつまとめるようにしてＭ１個のサブバンドを構成する。さらに、Ｗ’’２内の周波数方向にＮ２個並んだ物理リソースブロック（ＰＲＢ）を複数個ずつまとめるようにしてＭ２個のサブバンドを構成する。
なお、ここでは、Ｗ’’１とＷ’’２はガードバンドを考慮した使用帯域幅である。
【０１４８】
あるいは、予め個別のシステム帯域内の周波数方向の全物理リソースブロック（ＰＲＢ）数に対してサブバンドの配置方法（サブバンドサイズとサブバンド数（例えば、個別のシステム帯域のＳｅｔＳ（Ｓｅｔ  ｏｆ  Ｓｕｂｂａｎｄｓ）））を決めておき、複数のシステム帯域に対して、個別にこの配置方法を適用する。
例えば、図２０に示すようなサブバンドの配置方法を決めておく。図２０は、個別のシステム帯域幅（システム帯域ｉ）内で周波数方向のＲＢ数ＮｉＰＲＢが４個〜１０個のときは、サブバンドサイズＭｉＳＢは周波数方向に１ＲＢであり、サブバンド数はｃｅｉｌ［ＮｉＰＲＢ／ＭｉＳＢ］（ｃｅｉｌ［＊］は天井関数であり、＊以上である最小の整数を示す）、すなわち４〜１０である。同様に、周波数方向のＲＢ数ＮｉＰＲＢが１１個〜２０個および２１個〜３０個のとき、サブバンドサイズＭｉＳＢはそれぞれ周波数方向に２ＲＢおよび３ＲＢであり、サブバンド数はｃｅｉｌ［ＮｉＰＲＢ／ＭｉＳＢ］、すなわち、それぞれ６〜１０および７〜１０である。ただし、ＮｉＰＲＢがＭｉＳＢの倍数でない場合には、システム帯域ｉにおけるｃｅｉｌ［ＮｉＰＲＢ／ＭｉＳＢ］番目のサブバンドのサイズはＮｉＰＲＢ−（ｃｅｉｌ［ＮｉＰＲＢ／ＭｉＳＢ］−１）×ＭｉＳＢとなる。言い換えると、システム帯域内の周波数方向の全物理リソースブロック（ＰＲＢ）数がＮ１のときは、周波数方向に３つの物理リソースブロック（ＰＲＢ）を並べた帯域となるサブバンドをＭ１−１個と、２つ（Ｎ１を３で割った余り）の物理リソースブロック（ＰＲＢ）を並べた帯域となるサブバンドを１個配置する。また、システム帯域内の周波数方向の全物理リソースブロック（ＰＲＢ）数がＮ２のときは、周波数方向に２つの物理リソースブロック（ＰＲＢ）を並べた帯域となるサブバンドをＭ２−１個と、１つ（Ｎ２を２で割った余り）の物理リソースブロック（ＰＲＢ）を並べた帯域となるサブバンドを１個配置するといった配置方法を決めておく。そして、図２１に示すように、システム帯域Ｗ’’１とシステム帯域Ｗ’’２に対して個別にこの配置方法を適用する。
【０１４９】
図２１は、本発明の第３の実施形態による無線通信システムが使用するサブバンドの配置方法の一例を示す図である。図２１において、横軸は時間を示しており、縦軸は周波数を示している。図２１では、周波数方向に並んだサブバンド＃０、・・・、＃Ｍ１−１、＃Ｍ１−２、＃Ｍ１、＃Ｍ１＋Ｍ２−２、＃Ｍ１＋Ｍ２−１のそれぞれに、下りリンク参照信号Ａ０１と物理下りリンクチャネルＡ０２が配置されている。
【０１５０】
予め個別のシステム帯域内の周波数方向の全物理リソースブロック（ＰＲＢ）数に対して一意にサブバンドのサイズやサブバンドの個数（ＳｅｔＳ）などを設定しておく。そして、複数のシステム帯域に対して、個別にこの配置方法を適用して、基地局装置１００から移動局装置２００にシステム帯域毎のＳｅｔＳに関する情報などを通知する。これにより、移動局装置２００側で各システム帯域におけるサブバンドの配置を知ることができる。
この他の例として、予めＳｅｔＳに対して一意にサブバンドのサイズを設定しておく方法もある。例えば、図２２に示すようなサブバンドの配置方法を決めておく。図２２は、すべてのシステム帯域幅内で周波数方向のＲＢ数ＮａｌｌＰＲＢが４個〜１０個のときは、サブバンドサイズＭａｌｌＳＢはすべてのシステム帯域において周波数方向に１ＲＢである。同様に、周波数方向のＲＢ数ＮａｌｌＰＲＢが１１個〜２０個、２１個〜３０個および３１個〜４０個のとき、サブバンドサイズＭａｌｌＳＢはそれぞれ周波数方向に２ＲＢ、３ＲＢおよび４ＲＢである。このとき、個別のシステム帯域（システム帯域ｉ）におけるサブバンド数は、ｃｅｉｌ［ＮｉＰＲＢ／ＭａｌｌＳＢ］となる。
ただし、ＮｉＰＲＢがＭａｌｌＳＢの倍数でない場合には、システム帯域ｉにおけるｃｅｉｌ［ＮｉＰＲＢ／ＭａｌｌＳＢ］番目のサブバンドのサイズはＮｉＰＲＢ−（ｃｅｉｌ［ＮｉＰＲＢ／ＭａｌｌＳＢ］−１）×ＭａｌｌＳＢとなる。
【０１５１】
以上、４つの例を説明したが、これに限定されるものではない。例えば、異なる複数のシステム帯域内のサブキャリアが１つの物理リソースブロック（ＰＲＢ）および１つのサブバンドに存在しないような物理リソースブロック（ＰＲＢ）の配置およびサブバンドの配置にするように、複数のシステム帯域を用いる他の方法を使用しても良い。
【０１５２】
次に、本発明の第３の実施形態による無線通信システムの処理について説明する。
始めに、基地局装置１００（図１０）の無線部１０３ａ（信号送信部とも称する）は、複数のシステム帯域Ｗ’’１、Ｗ’’２（図１９（ａ））の各々において、同じ周波数方向に位置する自然数個のサブバンドにデータを配置した信号と、複数の帯域Ｗ’’１、Ｗ’’２を特定する情報を含む信号とを、移動局装置２００に送信する。なお、無線部１０３ａは、複数の帯域Ｗ１、Ｗ２を特定する情報を含む信号を、複数の帯域Ｗ１、Ｗ２のうちのいずれかのみを介して移動局装置２００に送信するようにしても良い。
【０１５３】
そして、移動局装置２００（図１１）の無線部２０３ａ（信号受信部とも称する）は、複数の帯域Ｗ’’１、Ｗ’’２のいずれかを介して、複数の帯域Ｗ’’１、Ｗ’’２を特定する情報を含む信号を、アンテナ部Ａ１を介して基地局装置１００の無線部１０３ａから受信し、その複数の帯域Ｗ’’１、Ｗ’’２を特定する情報に基づいて、複数の帯域Ｗ’’１、Ｗ’’２の各々において、同じ周波数方向に位置する自然数個のサブバンドにデータが配置された信号を、アンテナ部Ａ２を介して基地局装置１００の無線部１０３ａから受信する。
なお、複数の帯域Ｗ’’１、Ｗ’’２を特定する情報を含む信号を、複数の帯域Ｗ’’１、Ｗ’’２のうちのいずれかにのみ挿入するようにし、無線部２０３ａが、複数の帯域Ｗ’’１、Ｗ’’２を特定する情報を含む信号を検知して受信するようにしても良い。
【０１５４】
そして、移動局装置２００のデータ抽出部２０７ａは、無線部２０３ａが受信した同じ周波数方向に位置する自然数個のサブバンドにデータが配置された信号を、ＯＦＤＭ復調部２０６ａを介して取得し、その信号から、基地局装置１００が送信したデータを抽出する。
そして、移動局装置２００のチャネル推定部２０５ａ（図１１）は、無線部２０３ａが受信した信号に基づいて、複数の帯域Ｗ’’１の各々における自然数個のサブバンドにおけるチャネル品質を推定する。
【０１５５】
なお、図２１で述べたように、基地局装置１００の無線部１０３ａは、同じ周波数方向に位置する自然数個のリソースブロックの個数に応じて、複数の帯域Ｗ’’１、Ｗ’’２の各々におけるサブバンドの帯域幅を決定するようにしても良い。また、同じ周波数方向に位置する自然数個のリソースブロックの個数に応じて、複数の帯域Ｗ’’１、Ｗ’’２の各々におけるサブバンドの個数を決定するようにしても良い。
【０１５６】
本実施形態では、複数のシステム帯域を跨ぐようなサブバンドを生じさせないようにサブバンドを配置するため、いずれのサブバンドにおいても、サブバンドの内部で伝搬路特性は連続となる。サブバンド毎の受信品質測定結果（あるいは所要通信品質を満たす伝送レートなどの受信品質に関連する指標）を参照することにより、適応的なスケジューリングや送信パラメータの設定を行うシステムでは、移動局装置２００で参照信号を用いてサブバンド毎の受信品質測定結果を加工して、基地局装置１００にフィードバックすることで、伝搬路特性に応じたスケジューリング／送信パラメータ設定を実現する。
【０１５７】
このときサブバンドの受信品質の精度はサブバンド内の伝搬路特性の分散（ばらつき）の影響を大きく受ける。すなわち、分散が大きいほど物理チャネル内のそれぞれのリソースエレメントにおける受信品質とサブバンドの受信品質との差が大きくなる。サブバンド内で伝搬路特性が不連続であるとすると、伝搬路特性の分散が大きくなるため、急激に受信品質測定の精度が低下する。しかしながら、本実施形態では、複数のシステム帯域を跨ぐようなサブバンドを生じさせないようにサブバンド配置をする。そのため、いずれのサブバンドにおいても、サブバンドの内部で伝搬路特性は連続となり、分散が比較的小さくなるため、受信品質測定結果の精度を保持することができる。
【０１５８】
以上、第１〜第３の実施形態では、システム帯域が２つの場合について説明したが、これに限定されるものではなく、不連続な複数の帯域を複合的に用いて１つの広帯域なシステムであれば、各実施形態を適用することができる。なお、ここでいう不連続な複数の帯域とは、間にガードバンドを挟むようなシステム帯域も含む。
【０１５９】
上記の実施形態においては、説明の都合上、基地局装置１００と移動局装置２００とが一対一の場合を例にとって説明したが、基地局装置１００および移動局装置２００は複数であっても良い。また、移動局装置２００は、移動する端末に限らず、基地局装置１００や固定端末に移動局装置２００の機能を実装しても良い。
【０１６０】
また、以上説明したそれぞれの実施形態において、基地局装置内の各機能や、移動局装置内の各機能を実現するためのプログラムをコンピュータ読み取り可能な記録媒体に記録しても良い。そして、この記録媒体に記録されたプログラムをコンピュータシステムに読み込ませ、実行することにより基地局装置や移動局装置の制御を行っても良い。なお、ここでいう「コンピュータシステム」とは、ＯＳや周辺機器等のハードウェアを含む。
【０１６１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含む。また上記プログラムは、前述した機能の一部を実現するためのものであっても良い。さらに、前述した機能をコンピュータシステムに既に記録されているプログラムとの組み合わせで実現できるものであっても良い。
【０１６２】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【０１６３】
本発明は、基地局装置がリソースブロックを適切に割り当てることにより、移動局装置と基地局装置が効率的な通信を行うことができる通信システム、移動局装置、基地局装置及び通信方法などに適用できる。
【符号の説明】
【０１６４】
１００・・・基地局装置、１０１ａ、１０１ｂ・・・データ制御部、１０２ａ、１０２ｂ・・・ＯＦＤＭ変調部、１０３ａ、１０３ｂ・・・無線部、１０４・・・スケジューリング部、１０５・・・チャネル推定部、１０６・・・ＤＦＴ−Ｓ−ＯＦＤＭ復調部、１０７・・・データ抽出部、１０８・・・上位層、２００・・・移動局装置、２０１・・・データ制御部、２０２・・・ＤＦＴ−Ｓ−ＯＦＤＭ変調部、２０３ａ、２０３ｂ・・・無線部、２０４・・・スケジューリング部、２０５ａ、２０５ｂ・・・チャネル推定部、２０６ａ、２０６ｂ・・・ＯＦＤＭ復調部、２０７ａ、２０７ｂ・・・データ抽出部、２０８・・・上位層、３０１・・・物理マッピング部、３０２・・・参照信号生成部、３０３・・・同期信号生成部、３０４・・・変調部、３０５・・・ＩＦＦＴ部、３０６・・・ＣＰ挿入部、３０７・・・Ｄ／Ａ変換部、３０８・・・無線送信部、４０１・・・無線受信部、４０２・・・Ａ／Ｄ変換部、４０３・・・ＣＰ除去部、４０４・・・ＦＦＴ部、４０５・・・復調部、５０１・・・物理マッピング部、５０２・・・参照信号生成部、５０３・・・同期信号生成部、５０４−１、５０４−２・・・変調部、５０５−１、５０５−２・・・ＩＦＦＴ部、５０６−１、５０６−２・・・ＣＰ挿入部、５０７−１、５０７−２・・・Ｄ／Ａ変換部、５０８−１、５０８−２・・・無線送信部、６０１−１、６０１−２・・・無線受信部、６０２−１、６０２−２・・・Ａ／Ｄ変換部、２０５ｂ・・・チャネル推定部、６０３−１、６０３−２・・・バンド毎チャネル推定部、６０４−１、６０４−２・・・ＣＰ除去部、６０５−１、６０５−２・・・ＦＦＴ部、６０６−１、６０６−２・・・復調部、Ａ１、Ａ２・・・アンテナ部
【図１】
0005483757.tif 000002
【図２】
0005483757.tif 000003
【図３】
0005483757.tif 000004
【図４】
0005483757.tif 000005
【図５】
0005483757.tif 000006
【図６】
0005483757.tif 000007
【図７】
0005483757.tif 000008
【図８】
0005483757.tif 000009
【図９】
0005483757.tif 000010
【図１０】
0005483757.tif 000011
【図１１】
0005483757.tif 000012
【図１２】
0005483757.tif 000013
【図１３】
0005483757.tif 000014
【図１４】
0005483757.tif 000015
【図１５】
0005483757.tif 000016
【図１６】
0005483757.tif 000017
【図１７】
0005483757.tif 000018
【図１８】
0005483757.tif 000019
【図１９】
0005483757.tif 000020
【図２０】
0005483757.tif 000021
【図２１】
0005483757.tif 000022
【図２２】
0005483757.tif 000023
【図２３】
0005483757.tif 000024
【図２４】
0005483757.tif 000025
【図２５】
0005483757.tif 000026